(57)【特許請求の範囲】
【請求項１】
複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、
前記探索サーバは、
ある第２の携帯端末の探索が要求された際に、当該探索要求を一意に識別する依頼識別コードを生成する生成部と、
前記依頼識別コードと前記複数の第２の携帯端末を一意に識別するための端末識別コードとを対応付けて記憶する記憶部と、
前記依頼識別コードを前記第１の携帯端末に送信する送信部と、
前記依頼識別コードおよび前記端末識別コードを前記第２の携帯端末から受信する受信部と、
前記第２の携帯端末より前記依頼識別コードと前記端末識別コードとを受信した場合、当該受信した依頼識別コードおよび端末識別コードを、前記記憶部に記憶される前記依頼識別コードおよび前記端末識別コードと比較する比較部と、
前記比較部の比較結果に基づいて、前記第２の携帯端末を保持する探索対象が正当であることを認証する認証部とを備え、
前記第１の携帯端末は、
前記依頼識別コードを前記探索サーバより受信する受信部と、
前記依頼識別コードを記憶する記憶部と、
前記探索者の所定操作に基づいて前記依頼識別コードを近距離無線通信によって送信する送信部とを備え、
前記第２の携帯端末は、
前記依頼識別コードを近距離無線通信によって受信する受信部と、
前記探索サーバに前記依頼識別コードおよび前記端末識別コードを送信する送信部とを備える
ことを特徴とする探索システム。
【請求項２】
複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、
前記探索サーバは、
ある第２の携帯端末の探索が要求された際に、当該探索要求を一意に識別する依頼識別コードを生成する生成部と、
前記依頼識別コードと前記複数の第２の携帯端末を一意に識別するための端末識別コードとを対応付けて記憶する記憶部と、
前記依頼識別コードを前記第１の携帯端末に送信する送信部と、
前記依頼識別コードおよび前記端末識別コードを前記第２の携帯端末から受信する受信部と、
前記第２の携帯端末より前記依頼識別コードと前記端末識別コードとを受信した場合、当該受信した依頼識別コードおよび端末識別コードを、前記記憶部に記憶される前記依頼識別コードおよび前記端末識別コードと比較する比較部と、
前記比較部の比較結果に基づいて、前記第２の携帯端末を保持する探索対象が正当であることを認証する認証部とを備え、
前記第１の携帯端末は、
前記依頼識別コードを前記探索サーバより受信する受信部と、
前記依頼識別コードを記憶する記憶部と、
前記探索者の所定操作に基づいて、前記記憶部から読み出した前記依頼識別コードを表示する表示部とを備え、
前記第２の携帯端末は、
当該第２の携帯端末に対応する前記端末識別コードを記憶する記憶部と、
利用者の入力指示を受け付ける入力部と、
前記探索者が前記入力部を操作して前記依頼識別コードを入力するとともに、当該入力した前記依頼識別コードを前記探索サーバに対して送信する指示を入力すると、前記探索サーバに前記依頼識別コードおよび前記端末識別コードを送信する送信部とを備える
ことを特徴とする探索システム。
【請求項３】
複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、
前記探索サーバは、
前記第２の携帯端末を各々識別するための端末識別コードと、前記第２の携帯端末を各々認証するための認証コードと、各認証コードに対応する秘密鍵および公開鍵の組とを対応付けて記憶する記憶部と、
前記認証コードを当該認証コードに対応する前記秘密鍵によって暗号化して暗号化認証コードを作成する暗号化部と、
複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、
前記第２の携帯端末より前記認証コードおよび前記端末識別コードを受信する受信部と、
前記第２の携帯端末より前記認証コードおよび前記端末識別コードを受信した場合に、当該受信した前記認証コードおよび前記端末識別コードを前記記憶部の記憶内容と比較する比較部と、
前記比較部の比較結果に基づいて前記第２の携帯端末を保持する探索対象が正当であることを認証する認証部とを備え、
前記第１の携帯端末は、
前記公開鍵を前記探索サーバより受信する受信部と、
前記公開鍵を記憶する記憶部と、
前記探索者の所定操作に基づいて、前記公開鍵を前記第２の携帯端末に近距離無線通信によって送信する送信部とを備え、
前記第２の携帯端末は、
前記探索サーバより前記暗号化認証コードを受信するとともに、前記第１の携帯端末より前記公開鍵を近距離無線通信により受信する受信部と、
前記暗号化認証コードを記憶する記憶部と、
前記公開鍵を用いて前記記憶部に記憶された前記暗号化認証コードを復号化する復号化部と、
前記端末識別コードと、前記暗号化認証コードを復号化することによって得た前記認証コードとを前記探索サーバに送信する送信部とを備える
ことを特徴とする探索システム。
【請求項４】
複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、
前記探索サーバは、
前記第１の携帯端末を各々識別するための端末識別コードと、前記第２の携帯端末を各々認証するための認証コードと、各認証コードに対応する秘密鍵および公開鍵の組とを対応付けて記憶する記憶部と、
前記認証コードを当該認証コードと対応する前記秘密鍵によって暗号化して暗号化認証コードを作成する暗号化部と、
複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、
前記第１の携帯端末より、当該第１の携帯端末の前記端末識別コードと前記暗号化認証コードを復号化して得た前記認証コードとを受信する受信部と、
前記第１の携帯端末より受信した前記端末識別コードおよび前記認証コードを前記記憶部の記憶内容と比較する比較部と、
前記比較部の比較結果に基づいて前記第２の携帯端末を保持する探索対象が正当であることを認証する認証部とを備え、
前記第１の携帯端末は、
前記公開鍵を前記探索サーバより受信するとともに、前記暗号化認証コードを前記第２の携帯端末より受信する受信部と、
前記公開鍵を記憶する記憶部と、
前記公開鍵を用いて前記暗号化認証コードを復号する復号化部と、
前記探索者の所定操作に基づいて、前記暗号化認証コードの送信を要求する要求信号を前記第２の携帯端末に近距離無線通信によって送信するとともに、前記端末識別コードと、前記暗号化認証コードを復号化することにより得た前記認証コードとを前記探索サーバに送信する送信部とを備え、
前記第２の携帯端末は、
前記暗号化認証コードを前記探索サーバより受信するとともに、前記要求信号を前記第１の携帯端末より近距離無線通信によって受信する受信部と、
前記暗号化認証コードを記憶する記憶部と、
前記要求信号に基づいて、前記第１の携帯端末に前記暗号化認証コードを近距離無線通信によって送信する送信部とを備える
ことを特徴とする探索システム。
【請求項５】
前記端末識別コードとは、前記第２の携帯端末の電話番号、前記第２の携帯端末に一意に割り当てられた端末ＩＤ番号または前記第２の携帯端末に一意に割り当てられた電子メイルアドレスのうち少なくとも何れか１つである
ことを特徴とする請求項１乃至請求項３の何れか一項に記載の探索システム。
【請求項６】
前記端末識別コードとは、前記第１の携帯端末の電話番号、前記第１の携帯端末に一意に割り当てられた端末ＩＤ番号または前記第１の携帯端末に一意に割り当てられた電子メイルアドレスのうち少なくとも何れか１つである
ことを特徴とする請求項４に記載の探索システム。
【請求項７】
前記探索サーバは、前記第２の携帯端末を保持する探索対象が正当であることが認証された場合に前記探索対象の発見を通知する通知信号を前記第１の携帯端末に送信する通知信号送信部をさらに備える
ことを特徴とする請求項１乃至請求項４の何れか一項に記載の探索システム。
【請求項８】
前記探索サーバは、前記第２の携帯端末を保持する探索対象が正当であることが認証された場合に前記探索対象の発見を通知する通知信号を前記第１の携帯端末または前記第２の携帯端末に送信する通知信号送信部をさらに備える
ことを特徴とする請求項１乃至請求項４の何れか一項に記載の探索システム。
【請求項９】
前記探索サーバは、前記第２の携帯端末の探索を依頼する依頼信号を送信する依頼端末を更に備え、
前記依頼端末から前記依頼信号を受信すると、前記第１の携帯端末に、探索要求された前記第２の携帯端末の探索を指令する
ことを特徴とする請求項１乃至請求項４の何れか一項に記載の探索システム。
【請求項１０】
前記探索サーバは、前記第２の携帯端末を保持する探索対象が正当であることが認証された場合に前記探索対象の発見を通知する通知信号を前記依頼端末に送信する通知信号送信部をさらに備える
ことを特徴とする請求項９に記載の探索システム。
【請求項１１】
複数の探索者が保持する複数の第１の携帯端末と、探索が予定される複数の探索対象が保持する複数の第２の携帯端末とを備える探索システムに用いられ、前記第１および第２の携帯端末と通信可能な探索サーバにおいて、
ある第２の携帯端末の探索が要求された際に、当該探索要求を一意に識別する依頼識別コードを生成する生成部と、
前記依頼識別コードと前記複数の第２の携帯端末を一意に識別するための端末識別コードとを対応付けて記憶する記憶部と、
前記依頼識別コードを前記第１の携帯端末に送信する送信部と、
前記依頼識別コードおよび前記端末識別コードを前記第２の携帯端末から受信する受信部と、
前記第２の携帯端末より前記依頼識別コードと前記端末識別コードとを受信した場合、当該受信した依頼識別コードおよび端末識別コードを、前記記憶部に記憶される前記依頼識別コードおよび前記端末識別コードと比較する比較部と、
前記比較部の比較結果に基づいて、前記第２の携帯端末を保持する探索対象が正当であることを認証する認証部とを備える
ことを特徴とする探索サーバ。
【請求項１２】
複数の探索者が保持する複数の第１の携帯端末と、探索が予定される複数の探索対象が保持する複数の第２の携帯端末とを備える探索システムに用いられ、前記第１および前記第２の携帯端末と通信可能な探索サーバにおいて、
前記第２の携帯端末を各々識別するための端末識別コードと、前記第２の携帯端末を各々認証するための認証コードと、各認証コードに対応する秘密鍵および公開鍵の組とを対応付けて記憶する記憶部と、
前記認証コードを当該認証コードに対応する前記秘密鍵によって暗号化して暗号化認証コードを作成する暗号化部と、
複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、
前記第２の携帯端末より前記認証コードおよび前記端末識別コードを受信する受信部と、
前記第２の携帯端末より前記認証コードおよび前記端末識別コードを受信した場合に、当該受信した前記認証コードおよび前記端末識別コードを前記記憶部の記憶内容と比較する比較部と、
前記比較部の比較結果に基づいて前記第２の携帯端末を保持する探索対象が正当であることを認証する認証部とを備える
ことを特徴とする探索サーバ。
【請求項１３】
複数の探索者が保持する複数の第１の携帯端末と、探索が予定される複数の探索対象が保持する複数の第２の携帯端末とを備える探索システムに用いられ、前記第１および前記第２の携帯端末と通信可能な探索サーバにおいて、
前記第１の携帯端末を各々識別するための端末識別コードと、前記第２の携帯端末を各々認証するための認証コードと、各認証コードに対応する秘密鍵および公開鍵の組とを対応付けて記憶する記憶部と、
前記認証コードを当該認証コードと対応する前記秘密鍵によって暗号化して暗号化認証コードを作成する暗号化部と、
複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、
前記第１の携帯端末より、当該第１の携帯端末の前記端末識別コードと前記暗号化認証コードを復号化して得た前記認証コードとを受信する受信部と、
前記第１の携帯端末より受信した前記端末識別コードおよび前記認証コードを前記記憶部の記憶内容と比較する比較部と、
前記比較部の比較結果に基づいて前記第２の携帯端末を保持する探索対象が正当であることを認証する認証部とを備える
ことを特徴とする探索サーバ。
【請求項１４】
前記第２の携帯端末を保持する探索対象が正当であることの認証が成立した場合、前記認証の成立した前記第２の携帯端末に対応する前記認証コードと当該認証コードに対応する秘密鍵および公開鍵の組とを再生成し、当該再生成した前記認証コードと前記秘密鍵および公開鍵の組とを記憶し、前記認証コードを対応する前記秘密鍵によって暗号化して得た暗号化認証コードを前記認証の成立した前記第２の携帯端末に送信し、前記第２の携帯端末は、前記探索サーバより新たに受信した前記暗号化認証コードを、前記認証に用いた前記暗号化認証コードと置換して記憶する
ことを特徴とする請求項１１乃至請求項１３の何れか一項に記載の探索サーバ。
【請求項１５】
前記端末識別コードとは、前記第２の携帯端末の電話番号、前記第２の携帯端末に一意に割り当てられた端末ＩＤ番号または前記第２の携帯端末に一意に割り当てられた電子メイルアドレスのうち少なくとも何れか１つである
ことを特徴とする請求項１１または請求項１２に記載の探索サーバ。
【請求項１６】
前記端末識別コードとは、前記第１の携帯端末の電話番号、前記第１の携帯端末に一意に割り当てられた端末ＩＤ番号または前記第１の携帯端末に一意に割り当てられた電子メイルアドレスのうち少なくとも何れか１つである
ことを特徴とする請求項１３に記載の探索サーバ。
【請求項１７】
前記第２の携帯端末を保持する探索対象が正当であることが認証された場合に、前記探索対象の発見を通知する通知信号を前記第１の携帯端末に送信する通知信号送信部をさらに備える
ことを特徴とする請求項１１乃至請求項１３の何れか一項に記載の探索サーバ。
【請求項１８】
前記第２の携帯端末を保持する探索対象が正当であることが認証された場合に、前記探索対象の発見を通知する通知信号を前記第１の携帯端末または前記第２の携帯端末に送信する通知信号送信部をさらに備える
ことを特徴とする請求項１１乃至請求項１３の何れか一項に記載の探索サーバ。
【請求項１９】
前記第２の携帯端末の探索を依頼する依頼信号を送信する依頼端末と接続され、前記依頼端末から前記依頼信号を受信すると、前記第１の携帯端末に、探索要求された前記第２の携帯端末の探索を指令する
ことを特徴とする請求項１１乃至請求項１３の何れか一項に記載の探索サーバ。
【請求項２０】
前記第２の携帯端末を保持する探索対象が正当であることが認証された場合に、前記探索対象の発見を通知する通知信号を前記依頼端末に送信する通知信号送信部をさらに備える
ことを特徴とする請求項１９に記載の探索サーバ。
【請求項２１】
探索サーバからの指令に基づいて、探索対象である被探索端末を探索する携帯端末において、
前記被探索端末の探索が前記探索サーバから要求された際に、当該被探索端末に対する探索要求を一意に識別する依頼識別コードを前記探索サーバから受信する受信部と、
前記受信した依頼識別コードを記憶する記憶部と、
前記被探索端末に前記記憶した依頼識別コードを近距離無線通信によって送信する送信部とを備える
ことを特徴とする携帯端末。
【請求項２２】
探索サーバからの指令に基づいて探索される携帯端末において、
携帯端末自身に対する探索要求を一意に識別する依頼識別コードを、携帯端末自身を探索する探索端末から近距離無線通信によって受信する受信部と、
携帯端末自身を一意に識別可能な端末識別コードと前記受信した依頼識別コードとを前記探索サーバに送信する送信部とを備える
ことを特徴とする携帯端末。
【請求項２３】
探索サーバからの指令に基づいて、探索対象である被探索端末を探索する携帯端末において、
前記被探索端末を認証するための認証コードに対応づけられた公開鍵を前記探索サーバより受信する受信部と、
前記受信した公開鍵を記憶する記憶部と、
前記探索者の所定操作に基づいて、前記記憶した公開鍵を前記被探索端末に近距離無線通信によって送信する送信部とを備える
ことを特徴とする携帯端末。
【請求項２４】
探索サーバからの指令に基づいて探索される携帯端末において、
前記被探索端末を各々認証するための認証コードを当該認証コードに対応する前記秘密鍵によって暗号化して得られた暗号化認証コードを、前記探索サーバより受信する第１の受信部と、
前記暗号化認証コードを記憶する記憶部と、
前記被探索端末を認証するための認証コードに対応づけられた公開鍵を前記探索端末より近距離無線通信によって受信する第２の受信部と、
前記公開鍵を用いて前記記憶部に記憶された前記暗号化認証コードを復号化する復号化部と、
携帯端末自身を一意に識別可能な端末識別コードと、前記暗号化認証コードを復号化することによって得た前記認証コードとを前記探索サーバに送信する送信部とを備える
ことを特徴とする携帯端末。
【請求項２５】
探索サーバからの指令に基づいて、探索対象である被探索端末を探索する携帯端末において、
前記被探索端末を認証するための認証コードに対応づけられた公開鍵を前記探索サーバより受信する第１の受信部と、
前記公開鍵を記憶する記憶部と、
前記被探索端末を各々認証するための認証コードを当該認証コードに対応する前記秘密鍵によって暗号化して得た暗号化認証コードを前記被探索端末より受信する第２の受信部と、
前記公開鍵を用いて前記暗号化認証コードを復号する復号化部と、
前記暗号化認証コードの送信を要求する要求信号を前記被探索端末に近距離無線通信によって送信するとともに、前記端末識別コードと、前記暗号化認証コードを復号化することにより得た前記認証コードとを前記探索サーバに送信する送信部とを備える
ことを特徴とする携帯端末。
【請求項２６】
探索サーバからの指令に基づいて探索される携帯端末において、
前記被探索端末を各々認証するための認証コードを当該認証コードに対応する前記秘密鍵によって暗号化して得た暗号化認証コードを前記探索サーバより受信する第１の受信部と、
前記暗号化認証コードを記憶する記憶部と、
前記暗号化認証コードの送信を要求する要求信号を前記探索端末より近距離無線通信によって受信する第２の受信部と、
前記要求信号に基づいて、前記探索端末に前記暗号化認証コードを近距離無線通信によって送信する送信部とを備える
ことを特徴とする携帯端末。
【請求項２７】
前記端末識別コードとは、前記携帯端末の電話番号、前記携帯端末に一意に割り当てられた端末ＩＤ番号または前記携帯端末に一意に割り当てられた電子メイルアドレスの少なくとも何れか１つである
ことを特徴とする請求項２２、請求項２４または請求項２５の何れか一項に記載の携帯端末。
【請求項２８】
複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、
前記探索サーバは、前記複数の第２の携帯端末を一意に識別するための端末識別コードを予め記憶し、
前記探索サーバは、ある第２の携帯端末の探索が要求されると、当該探索要求を一意に識別する依頼識別コードを生成し、
前記探索サーバは、前記依頼識別コードと当該探索要求に対応する前記端末識別コードとを対応付けて記憶し、
前記探索サーバは、前記依頼識別コードを前記第１の携帯端末に送信し、
前記第１の携帯端末は、前記探索サーバより前記依頼識別コードを受信すると当該依頼識別コードを記憶し、
前記第１の携帯端末は、前記探索者の所定操作に基づいて前記依頼識別コードを前記第２の携帯端末に近距離無線通信によって送信し、
前記第２の携帯端末は、前記依頼識別コードを近距離無線通信によって受信すると当該依頼識別コードおよび当該第２の携帯端末の端末識別コードを前記探索サーバに送信し、
前記探索サーバは、前記依頼識別コードおよび前記端末識別コードを受信すると、当該受信した前記依頼識別コードおよび前記端末識別コードを記憶内容と比較し、
前記探索サーバは、前記比較の結果に基づいて、当該第２の携帯端末を保持する探索対象が正当であることを認証する
ことを特徴とする探索対象認証方法。
【請求項２９】
複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、
前記探索サーバは、前記複数の第２の携帯端末を一意に識別するための端末識別コードを予め記憶し、
前記探索サーバは、ある第２の携帯端末の探索が要求されると、当該探索要求を一意に識別する依頼識別コードを生成し、
前記探索サーバは、前記依頼識別コードと当該探索要求に対応する前記端末識別コードとを対応付けて記憶し、
前記探索サーバは、前記依頼識別コードを前記第１の携帯端末に送信し、
前記第１の携帯端末は、前記探索サーバより前記依頼識別コードを受信すると当該依頼識別コードを記憶し、
前記第１の携帯端末は、前記探索者の所定操作に基づいて、前記依頼識別コードを表示し、
前記探索者が前記探索対象を発見した際、前記第２の携帯端末は前記探索者の所定操作に基づいて前記依頼識別コードおよび前記端末識別コードを前記探索サーバに送信し、
前記探索サーバは、前記依頼識別コードおよび前記端末識別コードを受信すると、当該受信した前記依頼識別コードおよび前記端末識別コードを記憶内容と比較し、
前記探索サーバは、前記比較の結果に基づいて、当該第２の携帯端末を保持する探索対象が正当であることを認証する
ことを特徴とする探索対象認証方法。
【請求項３０】
複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、
前記探索サーバは、前記第２の携帯端末を各々識別するための端末識別コードと、前記第２の携帯端末を各々認証するための認証コードと、各認証コードに対応する秘密鍵および公開鍵の組とを対応付けて記憶し、
前記探索サーバは、複数の前記第２の携帯端末それぞれに、前記認証コードを対応する前記秘密鍵によって暗号化して得た暗号化認証コードを予め送信し、
前記第２の携帯端末は、前記探索サーバより受信した前記暗号化認証コードを記憶し、
ある前記第２の携帯端末の探索が要求されると、前記探索サーバは、記憶内容を参照し、探索要求のあった前記第２の携帯端末の前記認証コードに対応する前記公開鍵を前記第１の携帯端末に送信し、
前記第１の携帯端末は、前記探索サーバより前記公開鍵を受信すると、当該公開鍵を記憶し、
前記第１の携帯端末は、前記探索者の所定操作に基づいて、前記公開鍵を前記第２の携帯端末に近距離無線通信によって送信し、
前記第２の携帯端末は、前記公開鍵を近距離無線通信によって受信すると、当該受信した前記公開鍵を用いて予め記憶している前記暗号化認証コードを復号化し、
前記第２の携帯端末は、復号化された前記認証コードおよび当該第２の携帯端末の前記端末識別コードを前記探索サーバに送信し、
前記探索サーバは、復号化された前記認証コードおよび前記端末識別コードを受信すると、当該受信した前記認証コードおよび前記端末識別コードを記憶内容と比較し、
前記探索サーバは、前記比較の結果に基づいて、前記第２の携帯端末を保持する探索対象が正当であることを認証する
ことを特徴とする探索対象認証方法。
【請求項３１】
複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、
前記探索サーバは、前記第１の携帯端末を各々識別するための端末識別コードと、前記第２の携帯端末を各々認証するための認証コードと、各認証コードに対応する秘密鍵および公開鍵の組とを対応付けて記憶し、
前記探索サーバは、複数の前記第２の携帯端末それぞれに、前記認証コードを対応する前記秘密鍵によって暗号化して得た暗号化認証コードを予め送信し、
前記第２の携帯端末は、前記探索サーバより受信した前記暗号化認証コードを記憶し、
ある前記第２の携帯端末の探索が要求されると、前記探索サーバは、記憶内容を参照し、探索要求のあった前記第２の携帯端末の前記認証コードに対応する前記公開鍵を前記第１の携帯端末に送信し、
前記第１の携帯端末は、前記公開鍵を記憶し、
前記第１の携帯端末は、前記探索者の所定操作に基づいて、前記暗号化認証コードの送信を要求する要求信号を前記第２の携帯端末に近距離無線通信によって送信し、
前記第２の携帯端末は、前記要求信号を受信すると、予め記憶している前記暗号化認証コードを前記第１の携帯端末に近距離無線通信によって送信し、
前記第１の携帯端末は、前記暗号化認証コードを受信すると、前記公開鍵を用いて前記暗号化認証コードを復号化し、
前記第１の携帯端末は、復号化された前記認証コードおよび当該第１の携帯端末の前記端末識別コードを前記探索サーバに送信し、
前記探索サーバは、復号化された前記認証コードおよび前記端末識別コードを受信すると、当該受信した前記認証コードおよび前記端末識別コードを記憶内容と比較し、
前記探索サーバは、前記比較の結果に基づいて、前記第２の携帯端末を保持する探索対象が正当であることを認証する
ことを特徴とする探索対象認証方法。
【請求項３２】
前記第２の携帯端末を保持する探索対象が正当であることの認証が成立した場合、
前記探索サーバは、前記認証の成立した前記第２の携帯端末に対応する前記認証コードと当該認証コードに対応する秘密鍵および公開鍵の組とを再生成し、
前記探索サーバは、再生成した前記認証コードと前記秘密鍵および公開鍵の組とを記憶し、
前記探索サーバは、前記認証コードを対応する前記秘密鍵によって暗号化して得た暗号化認証コードを前記認証の成立した前記第２の携帯端末に送信し、
前記第２の携帯端末は、前記探索サーバより新たに受信した前記暗号化認証コードを、前記認証に用いた前記暗号化認証コードと置換して記憶する
ことを特徴とする請求項３０または請求項３１に記載の探索対象認証方法。
【請求項３３】
前記端末識別コードとは、前記第２の携帯端末の電話番号、前記第２の携帯端末に一意に割り当てられた端末ＩＤ番号または前記第２の携帯端末に一意に割り当てられた電子メイルアドレスのうち少なくとも何れか１つである
ことを特徴とする請求項２８乃至請求項３０の何れか一項に記載の探索対象認証方法。
【請求項３４】
前記端末識別コードとは、前記第１の携帯端末の電話番号、前記第１の携帯端末に一意に割り当てられた端末ＩＤ番号または前記第１の携帯端末に一意に割り当てられた電子メイルアドレスのうち少なくとも何れか１つである
ことを特徴とする請求項３１に記載の探索対象認証方法。
【請求項３５】
前記探索サーバは、前記第２の携帯端末を保持する探索対象が正当であることの前記認証が成立した場合、前記探索対象の発見を通知する通知信号を前記第１の携帯端末に送信する
ことを特徴とする請求項２８乃至請求項３１の何れか一項に記載の探索対象認証方法。
【請求項３６】
前記探索サーバは、前記第２の携帯端末を保持する探索対象が正当であることの前記認証が成立した場合、前記探索対象の発見を通知する通知信号を前記第２の携帯端末に送信する
ことを特徴とする請求項２８乃至請求項３１の何れか一項に記載の探索対象認証方法。
【請求項３７】
前記探索サーバは、前記第２の携帯端末の探索を依頼する依頼信号を送信する依頼端末と接続され、
前記依頼端末は、当該依頼端末利用者の所定操作に基づいて前記依頼信号を前記探索サーバに送信し、
前記探索サーバは、前記依頼信号を受信すると前記第２の携帯端末の探索を開始する
ことを特徴とする請求項２８乃至請求項３１の何れか一項に記載の探索対象認証方法。
【請求項３８】
前記探索サーバは、前記第２の携帯端末を保持する探索対象が正当であることの前記認証が成立した場合、前記探索対象の発見を通知する通知信号を前記依頼端末に送信する
ことを特徴とする請求項３７に記載の探索対象認証方法。
【発明の詳細な説明】
【０００１】
【発明の属する技術分野】
本発明は、携帯端末の位置情報を利用して人探索を行い、被探索者発見の際に、本人確認を行うことのできる探索システム、探索サーバ、携帯端末および探索対象認証方法に関するものである。
【０００２】
【従来の技術】
従来より、心身障害者、高齢者、および幼児などの対象者に位置情報取得可能な携帯端末を保持させ、失踪時の身柄保護などの目的に携帯端末の位置情報を利用する技術が知られている。そして、対象者が失踪した場合、例えば介護支援センタといった第三者機関に被探索者の身柄保護を要請することがある。この場合、被探索者の顔写真、年齢および性別といった個人情報を第三者機関に配信し、被探索者特定の補助として利用する。
【０００３】
【発明が解決しようとする課題】
しかしながら、被探索者の特定に当たり、第三者機関は一般に、被探索者を現実には知らない場合が多い。したがって、第三者機関の職員が被探索者の相貌を示す画像データなどを携帯端末を利用して入手したとしても、例えば、画像データとは髪型が異なったり、もしくは当日の着衣の印象が画像データとは大きく異なっていたりといった様々な理由に因り、現実の被探索者発見段階で、本人であるとの確証を得ることが困難なことがあった。
【０００４】
本発明は、かかる実情に鑑み、被探索者発見の際に、本人確認を行うことのできる探索システム、探索サーバ、携帯端末および探索対象認証方法を提供することを目的とする。
【０００５】
【課題を解決するための手段】
上記の課題を解決するため、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、前記探索サーバは、ある第２の携帯端末の探索が要求された際に、当該探索要求を一意に識別する依頼識別コードを生成する生成部と、前記依頼識別コードと前記複数の第２の携帯端末を一意に識別するための端末識別コードとを対応付けて記憶する記憶部と、前記依頼識別コードを前記第１の携帯端末に送信する送信部と、前記依頼識別コードおよび前記端末識別コードを前記第２の携帯端末から受信する受信部と、前記第２の携帯端末より前記依頼識別コードと前記端末識別コードとを受信した場合、当該受信した依頼識別コードおよび端末識別コードを、前記記憶部に記憶される前記依頼識別コードおよび前記端末識別コードと比較する比較部と、前記比較部の比較結果に基づいて、前記第２の携帯端末を保持する探索対象が正当であることを認証する認証部とを備え、前記第１の携帯端末は、前記依頼識別コードを前記探索サーバより受信する受信部と、前記依頼識別コードを記憶する記憶部と、前記探索者の所定操作に基づいて前記依頼識別コードを近距離無線通信によって送信する送信部とを備え、前記第２の携帯端末は、前記依頼識別コードを近距離無線通信によって受信する受信部と、前記探索サーバに前記依頼識別コードおよび前記端末識別コードを送信する送信部とを備えることを特徴とする探索システムを提供する。
【０００６】
また、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、前記探索サーバは、ある第２の携帯端末の探索が要求された際に、当該探索要求を一意に識別する依頼識別コードを生成する生成部と、前記依頼識別コードと前記複数の第２の携帯端末を一意に識別するための端末識別コードとを対応付けて記憶する記憶部と、前記依頼識別コードを前記第１の携帯端末に送信する送信部と、前記依頼識別コードおよび前記端末識別コードを前記第２の携帯端末から受信する受信部と、前記第２の携帯端末より前記依頼識別コードと前記端末識別コードとを受信した場合、当該受信した依頼識別コードおよび端末識別コードを、前記記憶部に記憶される前記依頼識別コードおよび前記端末識別コードと比較する比較部と、前記比較部の比較結果に基づいて、前記第２の携帯端末を保持する探索対象が正当であることを認証する認証部とを備え、前記第１の携帯端末は、前記依頼識別コードを前記探索サーバより受信する受信部と、前記依頼識別コードを記憶する記憶部と、前記探索者の所定操作に基づいて、前記記憶部から読み出した前記依頼識別コードを表示する表示部とを備え、前記第２の携帯端末は、当該第２の携帯端末に対応する前記端末識別コードを記憶する記憶部と、利用者の入力指示を受け付ける入力部と、前記探索者が前記入力部を操作して前記依頼識別コードを入力するとともに、当該入力した前記依頼識別コードを前記探索サーバに対して送信する指示を入力すると、前記探索サーバに前記依頼識別コードおよび前記端末識別コードを送信する送信部とを備えることを特徴とする探索システムを提供する。
【０００７】
また、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、前記探索サーバは、前記第２の携帯端末を各々識別するための端末識別コードと、前記第２の携帯端末を各々認証するための認証コードと、各認証コードに対応する秘密鍵および公開鍵の組とを対応付けて記憶する記憶部と、前記認証コードを当該認証コードに対応する前記秘密鍵によって暗号化して暗号化認証コードを作成する暗号化部と、複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、前記第２の携帯端末より前記認証コードおよび前記端末識別コードを受信する受信部と、前記第２の携帯端末より前記認証コードおよび前記端末識別コードを受信した場合に、当該受信した前記認証コードおよび前記端末識別コードを前記記憶部の記憶内容と比較する比較部と、前記比較部の比較結果に基づいて前記第２の携帯端末を保持する探索対象が正当であることを認証する認証部とを備え、前記第１の携帯端末は、前記公開鍵を前記探索サーバより受信する受信部と、前記公開鍵を記憶する記憶部と、前記探索者の所定操作に基づいて、前記公開鍵を前記第２の携帯端末に近距離無線通信によって送信する送信部とを備え、前記第２の携帯端末は、前記探索サーバより前記暗号化認証コードを受信するとともに、前記第１の携帯端末より前記公開鍵を近距離無線通信により受信する受信部と、前記暗号化認証コードを記憶する記憶部と、前記公開鍵を用いて前記記憶部に記憶された前記暗号化認証コードを復号化する復号化部と、前記端末識別コードと、前記暗号化認証コードを復号化することによって得た前記認証コードとを前記探索サーバに送信する送信部とを備えることを特徴とする探索システムを提供する。
【０００８】
また、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムにおいて、前記探索サーバは、前記第１の携帯端末を各々識別するための端末識別コードと、前記第２の携帯端末を各々認証するための認証コードと、各認証コードに対応する秘密鍵および公開鍵の組とを対応付けて記憶する記憶部と、前記認証コードを当該認証コードと対応する前記秘密鍵によって暗号化して暗号化認証コードを作成する暗号化部と、複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、前記第１の携帯端末より、当該第１の携帯端末の前記端末識別コードと前記暗号化認証コードを復号化して得た前記認証コードとを受信する受信部と、前記第１の携帯端末より受信した前記端末識別コードおよび前記認証コードを前記記憶部の記憶内容と比較する比較部と、前記比較部の比較結果に基づいて前記第２の携帯端末を保持する探索対象が正当であることを認証する認証部とを備え、前記第１の携帯端末は、前記公開鍵を前記探索サーバより受信するとともに、前記暗号化認証コードを前記第２の携帯端末より受信する受信部と、前記公開鍵を記憶する記憶部と、前記公開鍵を用いて前記暗号化認証コードを復号する復号化部と、前記探索者の所定操作に基づいて、前記暗号化認証コードの送信を要求する要求信号を前記第２の携帯端末に近距離無線通信によって送信するとともに、前記端末識別コードと、前記暗号化認証コードを復号化することにより得た前記認証コードとを前記探索サーバに送信する送信部とを備え、前記第２の携帯端末は、前記暗号化認証コードを前記探索サーバより受信するとともに、前記要求信号を前記第１の携帯端末より近距離無線通信によって受信する受信部と、前記暗号化認証コードを記憶する記憶部と、前記要求信号に基づいて、前記第１の携帯端末に前記暗号化認証コードを近距離無線通信によって送信する送信部とを備えることを特徴とする探索システムを提供する。
【０００９】
好ましい態様において、前記端末識別コードとは、前記第２の携帯端末の電話番号、前記第２の携帯端末に一意に割り当てられた端末ＩＤ番号または前記第２の携帯端末に一意に割り当てられた電子メイルアドレスのうち少なくとも何れか１つである。
【００１０】
また、別の好ましい態様において、前記端末識別コードとは、前記第１の携帯端末の電話番号、前記第１の携帯端末に一意に割り当てられた端末ＩＤ番号または前記第１の携帯端末に一意に割り当てられた電子メイルアドレスのうち少なくとも何れか１つである。
【００１１】
また、別の好ましい態様において、前記探索サーバは、前記第２の携帯端末を保持する探索対象が正当であることが認証された場合に前記探索対象の発見を通知する通知信号を前記第１の携帯端末に送信する通知信号送信部をさらに備える。
【００１２】
また、別の好ましい態様において、前記探索サーバは、前記第２の携帯端末を保持する探索対象が正当であることが認証された場合に前記探索対象の発見を通知する通知信号を前記第１の携帯端末または前記第２の携帯端末に送信する通知信号送信部をさらに備える。
【００１３】
また、別の好ましい態様において、前記探索サーバは、前記第２の携帯端末の探索を依頼する依頼信号を送信する依頼端末を更に備え、前記依頼端末から前記依頼信号を受信すると、前記第１の携帯端末に、探索要求された前記第２の携帯端末の探索を指令する。
【００１４】
また、別の好ましい態様において、前記探索サーバは、前記第２の携帯端末を保持する探索対象が正当であることが認証された場合に前記探索対象の発見を通知する通知信号を前記依頼端末に送信する通知信号送信部をさらに備える。
【００１５】
そして、本発明は、複数の探索者が保持する複数の第１の携帯端末と、探索が予定される複数の探索対象が保持する複数の第２の携帯端末とを備える探索システムに用いられ、前記第１および第２の携帯端末と通信可能な探索サーバにおいて、ある第２の携帯端末の探索が要求された際に、当該探索要求を一意に識別する依頼識別コードを生成する生成部と、前記依頼識別コードと前記複数の第２の携帯端末を一意に識別するための端末識別コードとを対応付けて記憶する記憶部と、前記依頼識別コードを前記第１の携帯端末に送信する送信部と、前記依頼識別コードおよび前記端末識別コードを前記第２の携帯端末から受信する受信部と、前記第２の携帯端末より前記依頼識別コードと前記端末識別コードとを受信した場合、当該受信した依頼識別コードおよび端末識別コードを、前記記憶部に記憶される前記依頼識別コードおよび前記端末識別コードと比較する比較部と、前記比較部の比較結果に基づいて、前記第２の携帯端末を保持する探索対象が正当であることを認証する認証部とを備えることを特徴とする探索サーバを提供する。
【００１６】
また、本発明は、複数の探索者が保持する複数の第１の携帯端末と、探索が予定される複数の探索対象が保持する複数の第２の携帯端末とを備える探索システムに用いられ、前記第１および前記第２の携帯端末と通信可能な探索サーバにおいて、前記第２の携帯端末を各々識別するための端末識別コードと、前記第２の携帯端末を各々認証するための認証コードと、各認証コードに対応する秘密鍵および公開鍵の組とを対応付けて記憶する記憶部と、前記認証コードを当該認証コードに対応する前記秘密鍵によって暗号化して暗号化認証コードを作成する暗号化部と、複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、前記第２の携帯端末より前記認証コードおよび前記端末識別コードを受信する受信部と、前記第２の携帯端末より前記認証コードおよび前記端末識別コードを受信した場合に、当該受信した前記認証コードおよび前記端末識別コードを前記記憶部の記憶内容と比較する比較部と、前記比較部の比較結果に基づいて前記第２の携帯端末を保持する探索対象が正当であることを認証する認証部とを備えることを特徴とする探索サーバを提供する。
【００１７】
また、本発明は、複数の探索者が保持する複数の第１の携帯端末と、探索が予定される複数の探索対象が保持する複数の第２の携帯端末とを備える探索システムに用いられ、前記第１および前記第２の携帯端末と通信可能な探索サーバにおいて、前記第１の携帯端末を各々識別するための端末識別コードと、前記第２の携帯端末を各々認証するための認証コードと、各認証コードに対応する秘密鍵および公開鍵の組とを対応付けて記憶する記憶部と、前記認証コードを当該認証コードと対応する前記秘密鍵によって暗号化して暗号化認証コードを作成する暗号化部と、複数の前記第２の携帯端末それぞれに前記暗号化認証コードを予め送信するとともに、ある前記第２の携帯端末の探索が要求された場合に当該第２の携帯端末の前記認証コードに対応する前記公開鍵を前記第１の携帯端末に送信する送信部と、前記第１の携帯端末より、当該第１の携帯端末の前記端末識別コードと前記暗号化認証コードを復号化して得た前記認証コードとを受信する受信部と、前記第１の携帯端末より受信した前記端末識別コードおよび前記認証コードを前記記憶部の記憶内容と比較する比較部と、前記比較部の比較結果に基づいて前記第２の携帯端末を保持する探索対象が正当であることを認証する認証部とを備えることを特徴とする探索サーバを提供する。
【００１８】
好ましい態様において、本発明の探索サーバは、前記第２の携帯端末を保持する探索対象が正当であることの認証が成立した場合、前記認証の成立した前記第２の携帯端末に対応する前記認証コードと当該認証コードに対応する秘密鍵および公開鍵の組とを再生成し、当該再生成した前記認証コードと前記秘密鍵および公開鍵の組とを記憶し、前記認証コードを対応する前記秘密鍵によって暗号化して得た暗号化認証コードを前記認証の成立した前記第２の携帯端末に送信し、前記第２の携帯端末は、前記探索サーバより新たに受信した前記暗号化認証コードを、前記認証に用いた前記暗号化認証コードと置換して記憶する。
【００１９】
また、別の好ましい態様において、前記端末識別コードとは、前記第２の携帯端末の電話番号、前記第２の携帯端末に一意に割り当てられた端末ＩＤ番号または前記第２の携帯端末に一意に割り当てられた電子メイルアドレスのうち少なくとも何れか１つである。
【００２０】
また、別の好ましい態様において、前記端末識別コードとは、前記第１の携帯端末の電話番号、前記第１の携帯端末に一意に割り当てられた端末ＩＤ番号または前記第１の携帯端末に一意に割り当てられた電子メイルアドレスのうち少なくとも何れか１つである。
【００２１】
また、別の好ましい態様において、本発明の探索サーバは、前記第２の携帯端末を保持する探索対象が正当であることが認証された場合に、前記探索対象の発見を通知する通知信号を前記第１の携帯端末に送信する通知信号送信部をさらに備える。
【００２２】
また、別の好ましい態様において、本発明の探索サーバは、前記第２の携帯端末を保持する探索対象が正当であることが認証された場合に、前記探索対象の発見を通知する通知信号を前記第１の携帯端末または前記第２の携帯端末に送信する通知信号送信部をさらに備える。
【００２３】
また、別の好ましい態様において、本発明の探索サーバは、前記第２の携帯端末の探索を依頼する依頼信号を送信する依頼端末と接続され、前記依頼端末から前記依頼信号を受信すると、前記第１の携帯端末に、探索要求された前記第２の携帯端末の探索を指令する。
【００２４】
また、別の好ましい態様において、本発明の探索サーバは、前記第２の携帯端末を保持する探索対象が正当であることが認証された場合に、前記探索対象の発見を通知する通知信号を前記依頼端末に送信する通知信号送信部をさらに備える。
【００２５】
そして、本発明は、探索サーバからの指令に基づいて、探索対象である被探索端末を探索する携帯端末において、前記被探索端末の探索が前記探索サーバから要求された際に、当該被探索端末に対する探索要求を一意に識別する依頼識別コードを前記探索サーバから受信する受信部と、前記受信した依頼識別コードを記憶する記憶部と、前記被探索端末に前記記憶した依頼識別コードを近距離無線通信によって送信する送信部とを備えることを特徴とする携帯端末を提供する。
【００２６】
また、本発明は、探索サーバからの指令に基づいて探索される携帯端末において、携帯端末自身に対する探索要求を一意に識別する依頼識別コードを、携帯端末自身を探索する探索端末から近距離無線通信によって受信する受信部と、携帯端末自身を一意に識別可能な端末識別コードと前記受信した依頼識別コードとを前記探索サーバに送信する送信部とを備えることを特徴とする携帯端末を提供する。
【００２７】
また、本発明は、探索サーバからの指令に基づいて、探索対象である被探索端末を探索する携帯端末において、前記被探索端末を認証するための認証コードに対応づけられた公開鍵を前記探索サーバより受信する受信部と、前記受信した公開鍵を記憶する記憶部と、前記探索者の所定操作に基づいて、前記記憶した公開鍵を前記被探索端末に近距離無線通信によって送信する送信部とを備えることを特徴とする携帯端末を提供する。
【００２８】
また、本発明は、探索サーバからの指令に基づいて探索される携帯端末において、前記被探索端末を各々認証するための認証コードを当該認証コードに対応する前記秘密鍵によって暗号化して得られた暗号化認証コードを、前記探索サーバより受信する第１の受信部と、前記暗号化認証コードを記憶する記憶部と、前記被探索端末を認証するための認証コードに対応づけられた公開鍵を前記探索端末より近距離無線通信によって受信する第２の受信部と、前記公開鍵を用いて前記記憶部に記憶された前記暗号化認証コードを復号化する復号化部と、携帯端末自身を一意に識別可能な端末識別コードと、前記暗号化認証コードを復号化することによって得た前記認証コードとを前記探索サーバに送信する送信部とを備えることを特徴とする携帯端末を提供する。
【００２９】
また、本発明は、探索サーバからの指令に基づいて、探索対象である被探索端末を探索する携帯端末において、前記被探索端末を認証するための認証コードに対応づけられた公開鍵を前記探索サーバより受信する第１の受信部と、前記公開鍵を記憶する記憶部と、前記被探索端末を各々認証するための認証コードを当該認証コードに対応する前記秘密鍵によって暗号化して得た暗号化認証コードを前記被探索端末より受信する第２の受信部と、前記公開鍵を用いて前記暗号化認証コードを復号する復号化部と、前記暗号化認証コードの送信を要求する要求信号を前記被探索端末に近距離無線通信によって送信するとともに、前記端末識別コードと、前記暗号化認証コードを復号化することにより得た前記認証コードとを前記探索サーバに送信する送信部とを備えることを特徴とする携帯端末を提供する。
【００３０】
また、本発明は、探索サーバからの指令に基づいて探索される携帯端末において、前記被探索端末を各々認証するための認証コードを当該認証コードに対応する前記秘密鍵によって暗号化して得た暗号化認証コードを前記探索サーバより受信する第１の受信部と、前記暗号化認証コードを記憶する記憶部と、前記暗号化認証コードの送信を要求する要求信号を前記探索端末より近距離無線通信によって受信する第２の受信部と、前記要求信号に基づいて、前記探索端末に前記暗号化認証コードを近距離無線通信によって送信する送信部とを備えることを特徴とする携帯端末を提供する。
【００３１】
好ましい態様において、前記端末識別コードとは、前記携帯端末の電話番号、前記携帯端末に一意に割り当てられた端末ＩＤ番号または前記携帯端末に一意に割り当てられた電子メイルアドレスの少なくとも何れか１つである。
【００３２】
そして、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、前記探索サーバは、前記複数の第２の携帯端末を一意に識別するための端末識別コードを予め記憶し、前記探索サーバは、ある第２の携帯端末の探索が要求されると、当該探索要求を一意に識別する依頼識別コードを生成し、前記探索サーバは、前記依頼識別コードと当該探索要求に対応する前記端末識別コードとを対応付けて記憶し、前記探索サーバは、前記依頼識別コードを前記第１の携帯端末に送信し、前記第１の携帯端末は、前記探索サーバより前記依頼識別コードを受信すると当該依頼識別コードを記憶し、前記第１の携帯端末は、前記探索者の所定操作に基づいて前記依頼識別コードを前記第２の携帯端末に近距離無線通信によって送信し、前記第２の携帯端末は、前記依頼識別コードを近距離無線通信によって受信すると当該依頼識別コードおよび当該第２の携帯端末の端末識別コードを前記探索サーバに送信し、前記探索サーバは、前記依頼識別コードおよび前記端末識別コードを受信すると、当該受信した前記依頼識別コードおよび前記端末識別コードを記憶内容と比較し、前記探索サーバは、前記比較の結果に基づいて、当該第２の携帯端末を保持する探索対象が正当であることを認証することを特徴とする探索対象認証方法を提供する。
【００３３】
また、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、前記探索サーバは、前記複数の第２の携帯端末を一意に識別するための端末識別コードを予め記憶し、前記探索サーバは、ある第２の携帯端末の探索が要求されると、当該探索要求を一意に識別する依頼識別コードを生成し、前記探索サーバは、前記依頼識別コードと当該探索要求に対応する前記端末識別コードとを対応付けて記憶し、前記探索サーバは、前記依頼識別コードを前記第１の携帯端末に送信し、前記第１の携帯端末は、前記探索サーバより前記依頼識別コードを受信すると当該依頼識別コードを記憶し、前記第１の携帯端末は、前記探索者の所定操作に基づいて、前記依頼識別コードを表示し、前記探索者が前記探索対象を発見した際、前記第２の携帯端末は前記探索者の所定操作に基づいて前記依頼識別コードおよび前記端末識別コードを前記探索サーバに送信し、前記探索サーバは、前記依頼識別コードおよび前記端末識別コードを受信すると、当該受信した前記依頼識別コードおよび前記端末識別コードを記憶内容と比較し、前記探索サーバは、前記比較の結果に基づいて、当該第２の携帯端末を保持する探索対象が正当であることを認証することを特徴とする探索対象認証方法を提供する。
【００３４】
また、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、前記探索サーバは、前記第２の携帯端末を各々識別するための端末識別コードと、前記第２の携帯端末を各々認証するための認証コードと、各認証コードに対応する秘密鍵および公開鍵の組とを対応付けて記憶し、前記探索サーバは、複数の前記第２の携帯端末それぞれに、前記認証コードを対応する前記秘密鍵によって暗号化して得た暗号化認証コードを予め送信し、前記第２の携帯端末は、前記探索サーバより受信した前記暗号化認証コードを記憶し、ある前記第２の携帯端末の探索が要求されると、前記探索サーバは、記憶内容を参照し、探索要求のあった前記第２の携帯端末の前記認証コードに対応する前記公開鍵を前記第１の携帯端末に送信し、前記第１の携帯端末は、前記探索サーバより前記公開鍵を受信すると、当該公開鍵を記憶し、前記第１の携帯端末は、前記探索者の所定操作に基づいて、前記公開鍵を前記第２の携帯端末に近距離無線通信によって送信し、前記第２の携帯端末は、前記公開鍵を近距離無線通信によって受信すると、当該受信した前記公開鍵を用いて予め記憶している前記暗号化認証コードを復号化し、前記第２の携帯端末は、復号化された前記認証コードおよび当該第２の携帯端末の前記端末識別コードを前記探索サーバに送信し、前記探索サーバは、復号化された前記認証コードおよび前記端末識別コードを受信すると、当該受信した前記認証コードおよび前記端末識別コードを記憶内容と比較し、前記探索サーバは、前記比較の結果に基づいて、前記第２の携帯端末を保持する探索対象が正当であることを認証することを特徴とする探索対象認証方法を提供する。
【００３５】
また、本発明は、複数の探索者が保持する複数の第１の携帯端末と、探索が予定される複数の探索対象が保持する複数の第２の携帯端末と、前記第１および第２の携帯端末と通信可能な探索サーバとを備えた探索システムに用いられる探索対象認証方法において、前記探索サーバは、前記第１の携帯端末を各々識別するための端末識別コードと、前記第２の携帯端末を各々認証するための認証コードと、各認証コードに対応する秘密鍵および公開鍵の組とを対応付けて記憶し、前記探索サーバは、複数の前記第２の携帯端末それぞれに、前記認証コードを対応する前記秘密鍵によって暗号化して得た暗号化認証コードを予め送信し、前記第２の携帯端末は、前記探索サーバより受信した前記暗号化認証コードを記憶し、ある前記第２の携帯端末の探索が要求されると、前記探索サーバは、記憶内容を参照し、探索要求のあった前記第２の携帯端末の前記認証コードに対応する前記公開鍵を前記第１の携帯端末に送信し、前記第１の携帯端末は、前記公開鍵を記憶し、前記第１の携帯端末は、前記探索者の所定操作に基づいて、前記暗号化認証コードの送信を要求する要求信号を前記第２の携帯端末に近距離無線通信によって送信し、前記第２の携帯端末は、前記要求信号を受信すると、予め記憶している前記暗号化認証コードを前記第１の携帯端末に近距離無線通信によって送信し、前記第１の携帯端末は、前記暗号化認証コードを受信すると、前記公開鍵を用いて前記暗号化認証コードを復号化し、前記第１の携帯端末は、復号化された前記認証コードおよび当該第１の携帯端末の前記端末識別コードを前記探索サーバに送信し、前記探索サーバは、復号化された前記認証コードおよび前記端末識別コードを受信すると、当該受信した前記認証コードおよび前記端末識別コードを記憶内容と比較し、前記探索サーバは、前記比較の結果に基づいて、前記第２の携帯端末を保持する探索対象が正当であることを認証することを特徴とする探索対象認証方法を提供する。
【００３６】
好ましい態様において、前記第２の携帯端末を保持する探索対象が正当であることの認証が成立した場合、前記探索サーバは、前記認証の成立した前記第２の携帯端末に対応する前記認証コードと当該認証コードに対応する秘密鍵および公開鍵の組とを再生成し、前記探索サーバは、再生成した前記認証コードと前記秘密鍵および公開鍵の組とを記憶し、前記探索サーバは、前記認証コードを対応する前記秘密鍵によって暗号化して得た暗号化認証コードを前記認証の成立した前記第２の携帯端末に送信し、前記第２の携帯端末は、前記探索サーバより新たに受信した前記暗号化認証コードを、前記認証に用いた前記暗号化認証コードと置換して記憶する。
【００３７】
また、別の好ましい態様において、前記端末識別コードとは、前記第２の携帯端末の電話番号、前記第２の携帯端末に一意に割り当てられた端末ＩＤ番号または前記第２の携帯端末に一意に割り当てられた電子メイルアドレスのうち少なくとも何れか１つである。
【００３８】
また、別の好ましい態様において、前記端末識別コードとは、前記第１の携帯端末の電話番号、前記第１の携帯端末に一意に割り当てられた端末ＩＤ番号または前記第１の携帯端末に一意に割り当てられた電子メイルアドレスのうち少なくとも何れか１つである。
【００３９】
また、別の好ましい態様において、前記探索サーバは、前記第２の携帯端末を保持する探索対象が正当であることの前記認証が成立した場合、前記探索対象の発見を通知する通知信号を前記第１の携帯端末に送信する。
【００４０】
また、別の好ましい態様において、前記探索サーバは、前記第２の携帯端末を保持する探索対象が正当であることの前記認証が成立した場合、前記探索対象の発見を通知する通知信号を前記第２の携帯端末に送信する。
【００４１】
また、別の好ましい態様において、前記探索サーバは、前記第２の携帯端末の探索を依頼する依頼信号を送信する依頼端末と接続され、前記依頼端末は、当該依頼端末利用者の所定操作に基づいて前記依頼信号を前記探索サーバに送信し、前記探索サーバは、前記依頼信号を受信すると前記第２の携帯端末の探索を開始する。
【００４２】
また、別の好ましい態様において、前記探索サーバは、前記第２の携帯端末を保持する探索対象が正当であることの前記認証が成立した場合、前記探索対象の発見を通知する通知信号を前記依頼端末に送信する。
【００４３】
【発明の実施の形態】
＜１．第１実施形態＞
＜１−１．第１実施形態の構成＞
図１は、本発明の探索者確認システムＳＹＳの全体構成を示す図である。図１に示すように、探索者確認システムＳＹＳは、携帯端末ＨＰ１〜ＨＰｎ（ｎ＝自然数、以下特に個々の機器を区別する必要のない場合、携帯端末ＨＰと記述する）と、携帯通信網ＮＥＴと、探索センターＣＴＲと、パーソナルコンピュータＰＣとを備えている。
【００４４】
携帯端末ＨＰは、例えばＰＨＳ（Personal Handyphone System）などの携帯端末である。この携帯端末ＨＰは、携帯通信網ＮＥＴを介して通信を行う。また、携帯端末ＨＰには、近距離無線通信機能が備わっており、携帯端末ＨＰ同士で、携帯端末網ＮＥＴを介さずに通信を行うことも可能である。
【００４５】
図２は、携帯端末ＨＰの電気的構成を示すブロック図である。図２に示すように、携帯端末ＨＰは、送受信部１０と、ＣＰＵ１１と、ＲＡＭ１２と、ＲＯＭ１３と、記憶部１４と、表示部１５と、音声入出力部１６と、入力部１７とを備えている。
【００４６】
送受信部１０は、携帯端末ＨＰが無線通信を行う際のインターフェイスである。送受信部１０は、たとえば５０ＫＨｚおよび２．４５ＧＨｚといった複数のキャリアに同調し、信号を復調する機能を備えている。同様に、５０ＫＨｚまたは２．４５ＧＨｚといった複数のキャリアに信号を変調して送信することも可能である。したがって、送受信部１０を介して、携帯端末ＨＰは、基地局ＢＳを介して他の携帯端末ＨＰと通信することも可能であり、携帯端末ＨＰ同士で、例えばBluetooth（登録商標）など近距離無線の規格にしたがった通信を行うことも可能である。
【００４７】
ＣＰＵ１１は、ＲＡＭ１２を一時的なワークエリアとして利用しつつ、ＲＯＭ１３に記憶される各種プログラムに基づいて、携帯端末ＨＰを中枢的に制御する。ＲＯＭ１３には、ＣＰＵ１１を制御する各種プログラムに加え、携帯端末ＨＰの通信時に使用される電話番号ＮＭが記憶されている。
【００４８】
記憶部１４は、携帯端末ＨＰが授受する各種データを記憶する領域である。表示部１５は、例えば各種制御プログラムにおける選択画面や、画像データなどを表示する。音声入出力部１６はＤ／Ａコンバータを備えており、携帯端末ＨＰの基地局ＢＳを介した通信において受話部として機能すると共に、音声データをアナログ変換して放音する。また、音声入出力部１６を介して、携帯端末ＨＰから他の携帯端末ＨＰに音声信号を送信することが可能である。携帯端末ＨＰに備わる各部は、システムバスＳＢを介して接続される。
【００４９】
入力部１７には、図示せぬボタンが備えられている。利用者はこのボタンを介して、携帯端末ＨＰに任意のデータを入力したり、所定のプログラムを実行したりすることができる。
【００５０】
次に、携帯通信網ＮＥＴについて説明する。図１に示すように、携帯通信網ＮＥＴは、複数の基地局ＢＳ１〜ＢＳｍ（ｍ＝自然数、以下、特に個々の基地局を区別する必要のない場合、基地局ＢＳと記述する）と、交換機ＳＷと、ホームメモリＨＭとを備えている。
【００５１】
図示は省略するが、携帯通信網ＮＥＴには複数の交換機ＳＷが備えられており、それぞれの交換機ＳＷが、交換機ネットワークＳＢＮを介して接続されている。さらに、交換機ＳＷには複数の基地局ＢＳが接続され、携帯端末ＨＰとの間の無線通信を行う。そして、基地局ＢＳは、該基地局ＢＳを一意に示すコードである基地局識別コードＣＳＩＤが重畳された所定周波数のポーリング信号を間欠的に発信する。
【００５２】
携帯端末ＨＰは、複数の基地局ＢＳより上記ポーリング信号を受信する。そして、携帯端末ＨＰは、受信したポーリング信号の中で最も電界強度の大きい信号に対応する基地局ＢＳｊ（ｊ＝自然数、ｊ≦ｎ）に向けて、応答信号を送信する。この応答信号には、基地局ＢＳを示す基地局識別コードＣＳＩＤと携帯端末ＨＰの電話番号ＮＭとが重畳されている。携帯端末ＨＰは、ここで選択した基地局ＢＳが接続された交換機ＳＷのエリアに在圏することとなる。
【００５３】
上記において、携帯端末ＨＰによって送信された信号に含まれている基地局識別コードＣＳＩＤおよび携帯端末ＨＰの電話番号ＮＭは、交換機ＳＷおよび交換機ネットワークＳＢＮを経由して、ホームメモリＨＭに送信される。ホームメモリＨＭには、複数の携帯端末ＨＰそれぞれの現在の在圏エリアの一覧を示すデータベースである在圏テーブルＴＢａ（図示せず）が記憶されている。ホームメモリＨＭは、携帯端末ＨＰの電話番号ＮＭと基地局識別コードＣＳＩＤとの対応に変更があった場合には、随時在圏テーブルＴＢａを変更する。その結果、在圏テーブルＴＢａは、携帯通信網ＮＥＴを利用して通信を行うすべての携帯端末ＨＰの現在の在圏エリアを反映することとなる。
【００５４】
さらに、ホームメモリＨＭには、例えばＳＱＬ（Structured Query Language）などのコマンドを実行する常駐プログラムであるエージェントＡＧＴが実行されており、このエージェントＡＧＴに所定コマンドを示す文字列を送信することにより、在圏テーブルＴＢａを、携帯通信網ＮＥＴ外部より参照することができる。交換機ネットワークＳＢＮは、アクセスルータ（図示せず）を介して探索センターＣＴＲが接続されている。したがって、探索センターＣＴＲは、ホームメモリＨＭに格納される在圏テーブルＴＢａを参照することが可能である。
【００５５】
図１に示すとおり、探索センターＣＴＲは、データベースサーバＤＢと、探索サーバＳＲＶと、アクセスサーバＡＳとを備えている。それぞれのサーバはネットワーク接続されており、通信可能である。また、探索サーバＳＲＶは送受信部（図示せず）を備えており、この送受信部によって携帯端末ＨＰと通信を行うことが可能である。
【００５６】
探索サーバＳＲＶは、ホームメモリＨＭに格納されるテーブルから所望の条件に適合するレコードを抽出するコマンドの実行をホームメモリＨＭのエージェントＡＧＴに要求し、在圏テーブルＴＢａより、任意の携帯端末ＨＰの現在位置を示すデータを取得する。また、探索サーバＳＲＶは、次に説明するデータベースサーバＤＢから、所望の条件に適合するレコードおよびファイルを抽出する。さらに、探索サーバＳＲＶは、記憶部（図示せず）に記憶される所定プログラムにしたがって、例えば乱数などのデータである識別コードＩＤを生成する。さらに、探索サーバＳＲＶは、上記送受信部を介して授受されるデータの比較や、当該比較に基づく認証を行う。
【００５７】
データベースサーバＤＢは、テーブル領域ＴＢおよびファイル領域ＦＬを備えている。テーブル領域ＴＢには、データベースを構成する各種テーブルが記憶され、ファイル領域には各種ファイルが記憶されている。
図３は、データベースサーバＤＢに記憶されるテーブルを示す概念図である。図３に示すように、テーブル領域ＴＢは個人情報テーブルＴＢｐおよび探索者テーブルＴＢｓを備えており、ファイル領域ＦＬは画像ディレクトリＤＲｐおよび音声ディレクトリＤＲｖを備えている。
【００５８】
個人情報テーブルＴＢｐは複数のレコードを備えている。このレコードは個人情報テーブルＴＢｐに登録される被探索者毎に作成される。そして、各レコードには、それぞれ、複数のフィールドが含まれている。フィールドには、ある個人を一意に識別したり当該個人の属性を示す各種のデータが格納される。本実施形態においては、各レコードは、電話番号フィールドＮＯ１、名前フィールドＮＡＭＥ、性別フィールドＳＥＸ、年齢フィールドＡＧＥ、身長フィールドＨＩＧＨＴ、相貌フィールドＴＹＰＥ、画像パスフィールドＰＨＯＴＯ、および音声パスフィールドＶＯＩＣＥの各フィールドを含む。
【００５９】
電話番号フィールドＮＯ１には、被探索者の保持すべき携帯端末ＨＰの電話番号ＮＭを示すデータが格納される。名前フィールドＮＡＭＥには、被探索者の名前を示すデータが格納される。性別フィールドＳＥＸには、被探索者の性別を示すデータが格納される。年齢フィールドＡＧＥには、被探索者の年齢を示すデータが格納される。身長フィールドＨＩＧＨＴには、被探索者の身長を示すデータが格納される。相貌フィールドＴＹＰＥには、被探索者の容貌、例えば痩せ型、太め等を示すデータが格納される。
【００６０】
そして、画像パスフィールドＰＨＯＴＯには、被探索人の近影を示す顔写真などの画像ファイルＦＬｐの記憶位置、いわゆるパスを示すデータが格納される。画像ファイルＦＬｐは画像ディレクトリＤＲｐの所定位置に記憶されており、ファイル名によって各画像ファイルＦＬｐを一意に識別することができるようになっている。この画像ファイルＦＬｐは、例えばＰＮＧ（Portable Network Graphics）などの形式で記憶されており、被探索者の探索の際に探索実行者に送信される。
【００６１】
同様に、音声パスフィールドＶＯＩＣＥには、被探索人の近親者が被探索人を呼びかける声などの音声ファイルＦＬｖの記憶位置、いわゆるパスを示すデータが格納される。音声ファイルＦＬｖは音声ディレクトリＤＲｖの所定位置に記憶されており、ファイル名によって各音声ファイルＦＬｖを一意に識別することができる。この音声ファイルＦＬｖは、例えばＭＰ３（MPEG-1 Audio Layer-III）などの形式で記憶されており、被探索者の探索の際に探索実行者に送信される。
【００６２】
探索者テーブルＴＢｓは、失踪者の探索にあたる第三者機関が登録されるテーブルである。探索者テーブルＴＢｓは、複数のレコードを備え、各レコード中には複数のフィールドが備わっている。ここで、複数のフィールドとは、立地フィールドＬＣおよび電話番号フィールドＮＯ２である。立地フィールドＬＣには、探索にあたる機関の立地位置に対応する基地局の基地局識別コードＣＳＩＤを示すデータが格納される。電話番号フィールドＮＯ２には、探索者の保持すべき携帯端末ＨＰの電話番号ＮＭを示すデータが格納される。
【００６３】
探索実行テーブルＴＢｒは探索実行の際に用いられるテーブルであり、被探索者発見時の認証に必要なデータを格納する。探索実行テーブルＴＢｒは複数のレコードを備えており、各レコードは複数のフィールドを備えている。ここで、複数のフィールドとは、被探索番号フィールドＮＯ３、探索番号フィールドＮＯ４、および識別コードＩＤである。なお、各フィールドの初期値は空文字列となっている。
【００６４】
被探索番号フィールドＮＯ３には、現在探索中の失踪者の保持すべき携帯端末ＨＰの電話番号ＮＭを示すデータが格納される。すなわち、被探索番号フィールドＮＯ３には、上述の個人情報テーブルＴＢｐ中の被探索者に対応するレコードにおける電話番号フィールドＮＯ１のデータが格納される。同様に、探索者番号フィールドＮＯ４には、被探索者の探索に当たるものの保持すべき携帯端末ＨＰの電話番号ＮＭ、すなわち、上記探索者テーブルＴＢｓ中の探索者に対応するレコードにおける電話番号フィールドＮＯ２のデータが格納される。さらに、識別コードフィールドＩＤｆには、上述の探索サーバＳＲＶの生成した識別コードＩＤを示すデータが格納される。
【００６５】
次に、アクセスサーバＡＳは、例えばＲＡＤＩＵＳ（Remote Access Dial In User Services）などの認証プロトコルによって、ダイヤルアップ接続の認証処理を行う。利用者は、アクセスサーバＡＳとの間の認証が成立した場合のみ、探索システムＳＹＳの提供する各種サービスを利用できる。なお、本実施形態では、探索システムＳＹＳの利用者は、事前に所定の手続きを取ることにより、アクセスサーバＡＳによる認証に必要なユーザ名およびパスワードを払い出されているものとする。
【００６６】
パーソナルコンピュータＰＣは、利用者が、探索システムＳＹＳを利用する時に使用するコンピュータ装置である。パーソナルコンピュータＰＣは、モデムやＴＡ（Terminal Adapter）などを介して、アクセスサーバＡＳにダイヤルアップ接続することができる。また、パーソナルコンピュータＰＣは、Ｗｅｂサイト閲覧の際に利用するブラウザプログラムを備えている。
【００６７】
なお、本実施形態においては、画像ディレクトリＤＲｐおよび音声ディレクトリＤＲｖに記憶される各種ファイルは、例えばＦＴＰ（File Transfer Protocol）などのプロトコルにしたがって、利用者がデータベースサーバＤＢの所定領域にアップロードできる。したがって、探索システムＳＹＳの利用者は、画像ファイルＦＬｐおよび音声ファイルＦＬｖを随時更新することが可能である。また、データベースサーバＤＢは、画像ディレクトリＤＲｐおよび音声ディレクトリＤＲｖに格納されるファイルが変更された場合、そのことを検知し、個人情報テーブルＴＢｐを更新し、テーブルとディレクトリとの同期をとる。
【００６８】
＜１−２．第１実施形態の動作＞
次に、第１実施形態の動作を説明する。説明の便宜のため、以下の説明においては、探索される者を被探索者Ａとし、被探索者Ａが携帯端末ＨＰｊを保持するものとする。また、被探索者Ａが失踪した場合にパーソナルコンピュータＰＣより探索を依頼するものを利用者Ｂとする。そして、利用者Ｂの依頼によって被探索者Ａを探索するものを探索実行者Ｃとし、探索実行者Ｃが携帯端末ＨＰｋを保持するものとする。なお、利用者Ｂは、予め所定の手続きをとり、探索システムＳＹＳ利用のためのユーザ名およびパスワードを取得しているものとする。
【００６９】
＜１−２−１．遠距離からの探索動作＞
図４は、探索システムＳＹＳの探索動作を示すシーケンスチャートである。
まず、探索システムＳＹＳの利用者は、探索システムＳＹＳ利用のため、パーソナルコンピュータＰＣからアクセスサーバＡＳにダイヤルアップ接続し、所定の認証手続きをとる。ここでは、アクセスサーバＡＳにおける認証手続きが成功したものとする。
【００７０】
認証手続きが成功すると、探索サーバＳＲＶは、パーソナルコンピュータＰＣのブラウザに、探索依頼受付画面を表示させる。ここで、利用者Ｂは、パーソナルコンピュータＰＣを操作し、ブラウザに表示された所定のフォームに、被探索者Ａの保持すべき携帯端末ＨＰｊの電話番号ＮＭを入力する。そして、利用者Ｂは、ブラウザに表示されたフォームに入力されたデータを、探索サーバＳＲＶに送信すべく、パーソナルコンピュータＰＣに指令する。すると、パーソナルコンピュータＰＣは、利用者Ｂがブラウザに表示されたフォームに入力したデータを、探索サーバＳＲＶに向けて送信する（ステップＳ１０１）。
【００７１】
探索サーバＳＲＶは、パーソナルコンピュータＰＣより、被探索者の保持すべき携帯端末ＨＰｊの電話番号ＮＭを示すデータを受信すると、パーソナルコンピュータＰＣに向けて、応答信号ＡＣＫを送信する（ステップＳ１０２）。そして、探索サーバＳＲＶは、携帯端末ＨＰｊの在圏エリアを確認すべく、携帯端末ＨＰｊの電話番号ＮＭを示すデータを、ホームメモリＨＭのエージェントＡＧＴに送信する（ステップＳ１０３）。このとき、探索サーバＳＲＶは、データベースサーバＤＢ中の探索実行テーブルＴＢｒに新規レコードを作成し、受信した電話番号ＮＭを被探索番号フィールドＮＯ３に格納する。
【００７２】
探索サーバＳＲＶより電話番号ＮＭを示すデータを受信すると、エージェントＡＧＴは、ホームメモリＨＭの在圏テーブルＴＢａより、携帯端末ＨＰｊが在圏する基地局の基地局識別コードＣＳＩＤを取得し、探索サーバＳＲＶに送信する（ステップＳ１０４）。
【００７３】
携帯端末ＨＰｊが現在在圏するエリアの基地局識別コードＣＳＩＤを受信すると、探索サーバＳＲＶは、データベースサーバＤＢの探索者テーブルＴＢｓより、取得した基地局識別コードＣＳＩＤを含むレコードを抽出し（ステップＳ１０５）、当該レコードのうち電話番号フィールドＮＯ２に格納されるデータを、上述の探索実行テーブルＴＢｒにおける新規レコード中の探索者番号フィールドＮＯ４に格納する。さらに、探索サーバＳＲＶは、例えば英数字などによって構成されるランダムな文字列である識別コードＩＤを生成し、当該識別コードＩＤを、新規レコード中の識別コードフィールドＩＤｆに格納する（ステップＳ１０６）。
【００７４】
その後、探索サーバＳＲＶは、ステップＳ１０５において抽出されたレコードに含まれる電話番号フィールドＮＯ２を参照し、各レコードに対応する探索実行者Ｃに、被探索者Ａの探索を依頼する。ここでは、携帯端末ＨＰｋを保持する探索実行者Ｃに、被探索者Ａの探索が指令されるとする。すると、探索サーバＳＲＶは探索実行者Ｃの保持すべき携帯端末ＨＰｋに向けて、探索指令を行う指令信号ＯＤＲを送信する（ステップＳ１０７）。
【００７５】
探索サーバＳＲＶより指令信号ＯＤＲを受信した携帯端末ＨＰｋは、ＲＯＭ１３に格納される所定プログラムに従い、光、音、または振動といった手段により、探索実行者Ｃに指令信号ＯＤＲの受信を通知する。ここで、探索実行者Ｃは携帯端末ＨＰｋを操作して、探索を実行するか否かを選択する。そして、探索実行者Ｃが探索実行を許諾する場合には（ステップＳ１０８においてＹｅｓ）、探索実行者Ｃの所定の操作に基づき、携帯端末ＨＰｋより、実行信号ＣＲＯが、探索サーバＳＲＶに向けて送信される（ステップＳ１０９）。
【００７６】
携帯端末ＨＰｋより実行信号ＣＲＯを受信すると、探索サーバＳＲＶは、データベースサーバＤＢの個人情報テーブルＴＢｐを参照し、探索の補助となる各種データおよび認証用データを携帯端末ＨＰｋに送信する（ステップＳ１１１）。ここで、送信される個人情報データとしては、名前フィールドＮＡＭＥ、性別フィールドＳＥＸ、年齢フィールドＡＧＥ、身長フィールドＨＩＧＨＴ、および相貌フィールドＴＹＰＥに格納される各種データ、画像パスフィールドＰＨＯＴＯおよび音声パスフィールドＶＯＩＣＥによって指定されるファイル２種類、および識別コードＩＤである。
【００７７】
上記のデータは、携帯端末ＨＰｋに逐次受信される。そして、携帯端末ＨＰｋは、受信したデータを記憶部１４に記憶する。ここで記憶部１４に記憶されたデータは、探索実行者Ｃの操作により、被探索者Ａの各種属性情報や被探索者Ａの近影を示す画像などを表示部１５に表示する際に利用される。携帯端末ＨＰｋは、データの受信が完了すると、応答信号ＡＣＫを探索サーバＳＲＶに向けて送信する（ステップＳ１１２）。
【００７８】
携帯端末ＨＰｋへデータを送信すると、探索サーバＳＲＶは、上記ステップＳ１０３およびＳ１０４と同様にして、ホームメモリＨＭより、携帯端末ＨＰｊの現在の在圏エリアを示す基地局識別コードＣＳＩＤを取得する（ステップＳ１１３〜Ｓ１１４）。そして、探索サーバＳＲＶは、取得された基地局識別コードＣＳＩＤに基づき、携帯端末ＨＰｊの位置情報を、携帯端末ＨＰｋに向けて送信する（ステップＳ１１５）。携帯端末ＨＰｋは、探索サーバＳＲＶからの位置情報受信に応じて、逐次応答信号ＡＣＫを探索サーバＳＲＶに送信する（ステップＳ１１６）。このステップＳ１１３〜Ｓ１１６までの動作が、携帯端末ＨＰｊおよび携帯端末ＨＰｋの在圏エリアが重なるまで繰り返される。
【００７９】
＜１−２−２．近距離からの探索動作＞
そして、携帯端末ＨＰｊおよび携帯端末ＨＰｋが同じ基地局エリアに在圏するようになると、ホームメモリＨＭの情報に基づいていては、さらに携帯端末ＨＰｊが携帯端末ＨＰｋに近付いていくことができなくなる。そこで、携帯端末ＨＰｋは、基地局ＢＳとの通信を一時中断し、近距離無線通信モード（以下、トランシーバモードと称する）に移行する。
【００８０】
まず、携帯端末ＨＰｋは、送受信部１０の処理を近距離無線通信処理に切り換える。そして、携帯端末ＨＰｋは、所定の電界強度のポーリング信号を発信する。このポーリング信号には、携帯端末ＨＰｊの電話番号ＮＭと携帯端末ＨＰｊに対してトランシーバモードへの切替えを要求する制御情報が含まれている。このポーリング信号を受信すると、携帯端末ＨＰｊは、基地局ＢＳとの通信を一時中断し、トランシーバモードに移行する。
【００８１】
そして、携帯端末ＨＰｊは、携帯端末ＨＰｋに向けて、通信モード移行を通知する信号を、近距離無線通信によって送信する。携帯端末ＨＰｋが、携帯端末ＨＰｊから通信モード移行を通知する信号を受信するということは、少なくとも、携帯端末ＨＰｊがポーリング信号の到達範囲に存在するということを意味する。そのため、探索実行者Ｃは、携帯端末ＨＰｊが近距離に存在するということを容易に識別できる。
【００８２】
なお、上記の動作において、携帯端末ＨＰｋは、ポーリング信号に対する携帯端末ＨＰｊの応答が所定期間なかった場合は、トランシーバモードによる通信を終了し、基地局ＢＳとの通信を再開する。
【００８３】
また、上記の動作において、探索実行者Ｃは、所定の操作に基づいて、携帯端末ＨＰｋの表示部１５に、被探索者Ａの現在位置情報を表示したり、被探索者Ａの特徴を示す個人情報を表示したり、画像ファイルＦＬｐに基づいて被探索者Ａの近影を表示したりすることができる。そうして、探索実行者Ｃが被探索者Ａと思われる人物を発見すると、探索実行者Ｃは、当該人物が被探索者Ａであるか否かを、探索サーバＳＲＶによる認証処理に基づいて確認する。この認証処理について、次に説明する。
【００８４】
＜１−２−３．被探索者認証動作＞
図５は、探索システムＳＹＳの被探索者認証動作を示すシーケンスチャートである。
探索実行者Ｃが、携帯端末ＨＰｊを保持する被探索者Ａと思われる人物を発見すると、この被探索者Ａが、携帯端末ＨＰｊを保持するか否かを確認する。ここで、探索実行者Ｃは、携帯端末ＨＰｋより、音声ファイルＦＬｖに基づいて、被探索者Ａの近親者の声などを再生することにより、被探索者Ａと思われる人物が、被探索者Ａであるか否かを推測することができる。その結果、被探索者Ａと思われる人物がおそらく当人であろうと判断できた場合、探索実行者Ｃは、自らの保持する携帯端末ＨＰｋ、被探索者Ａと思われる人物の保持する携帯端末ＨＰｊ、および探索サーバＳＲＶとの間の認証処理を行う。
【００８５】
そして、探索実行者Ｃは、携帯端末ＨＰｋより、携帯端末ＨＰｋの電話番号ＮＭおよび探索依頼時に受信した識別コードＩＤを、送受信部１０を介して、携帯端末ＨＰｊに送信するとともに、トランシーバモードによる通信を終了し、基地局ＢＳとの通信を再開する（ステップＳ２０１）。一方、データを受信した携帯端末ＨＰｊは、当該データを、在圏エリアの基地局ＢＳおよび交換機ＳＷを介して、探索サーバＳＲＶに送信するとともに、トランシーバモードによる通信を終了し、基地局ＢＳとの通信を再開する（ステップＳ２０２）。
【００８６】
探索サーバＳＲＶは、携帯端末ＨＰｊよりデータを受信すると、探索実行テーブルＴＢｒより、携帯端末ＨＰｊの電話番号ＮＭを被探索者番号フィールドＮＯ３含むレコードを抽出する。そして、抽出されたレコードの識別コードフィールドＩＤｆに格納されるデータが、受信した識別コードＩＤと一致するか否かを判定する（ステップＳ２０３）。ここで、データが一致した場合には（ステップＳ２０３においてＹｅｓ）、探索サーバＳＲＶは、一致信号ＩＤＴを生成し、携帯端末ＨＰｋ、携帯端末ＨＰｊ、およびパーソナルコンピュータＰＣに送信する（ステップＳ２０４）。
【００８７】
携帯端末ＨＰｋは、一致信号ＩＤＴを受信すると（ステップＳ２０６においてＹｅｓ）、ＲＯＭ１３に記憶される所定のプログラムにしたがい、被探索者Ａであるとの認証が成立した旨を示すメッセージを、表示部１５に表示する（ステップＳ２０７）。その結果、探索実行者Ｃは、被探索者Ａと思われる人物が、確かに被探索者Ａであると確信することができる。メッセージ表示の後、携帯端末ＨＰｋは、応答信号ＡＣＫを、探索サーバＳＲＶに向けて送信する（ステップＳ２１０）。
【００８８】
一方、ステップＳ２０３における認証が不成立であった場合には、探索サーバＳＲＶは、認証を要求してきた携帯端末ＨＰは被探索者Ａの保持する携帯端末ＨＰｊではないと判断し、不一致信号ＭＩＳを、携帯端末ＨＰｋに向けて送信する（ステップＳ２０５）。携帯端末ＨＰｋは、不一致信号ＭＩＳを受信すると（ステップＳ２０８においてＹｅｓ）、ＲＯＭ１３に記憶される所定のプログラムにしたがい、被探索者Ａであるとの認証が不成立であった旨を示すメッセージを、表示部１５に表示する（ステップＳ２０９）。これを受けて、探索実行者Ｃは人違いをしたことを理解し、さらに探索を続行することができる。メッセージ表示の後、携帯端末ＨＰｋが応答信号ＡＣＫを探索サーバＳＲＶに向けて送信する点は、携帯端末ＨＰｋが一致信号ＩＤＴを受信した場合と同様である。
【００８９】
例えば、被探索者Ａが症状の進行した痴呆症の高齢者であり、近親者はおろか、自分自身の名前すらも忘れてしまっている場合を想定する。この場合、被探索者Ａの近親者の声を示す音声データの再生等による反応の観察では、被探索者Ａと思われる人物が本当に被探索者Ａであるのか否かがわかりづらい場合がある。このような場合であっても、本実施形態の探索システムＳＹＳの認証動作によって、探索実行者Ｃは、被探索者Ａと思われる人物が本当に当人であるのか、また、被探索者Ａではないのか、といった確証を容易に得ることができる。
【００９０】
また、例えば、被探索者Ａが重度のダウン症児であり、言語能力に著しく欠けていたとする。この場合、問いかけに対する応答で本人であるとの確証を得ることは困難である。くわえて、ダウン症児の相貌は、その関係者以外には一様に見えることが多々あり、画像データによって近影を入手したとしても、探索実行者Ｃには、本人であるとの確証を得づらい場合がある。このような場合であっても、本実施形態の探索システムＳＹＳにあっては、認証動作によって確実に本人であるとの確証をもって身柄を保護することが可能である。
【００９１】
一方、携帯端末ＨＰｊは、ステップＳ２０４において探索サーバＳＲＶが送信した一致信号ＩＤＴを受信すると、ＲＯＭ１３に記憶される所定のプログラムにしたがい、被探索者Ａを探している者が訪れた旨を示すメッセージを、表示部１５に表示する（ステップＳ２１１）。その結果、被探索者Ａと探索実行者Ｃとの面識がない場合であっても、被探索者Ａが探索実行者Ｃに対して抱く不安を大きく軽減し、探索実行者Ｃの保護活動を容易にする。メッセージ表示の後、携帯端末ＨＰｊは、応答信号ＡＣＫを、探索サーバＳＲＶに向けて送信する（ステップＳ２１２）。
【００９２】
このように、ステップＳ２０３における認証が成立した場合には、携帯端末ＨＰｊおよび携帯端末ＨＰｋの双方に一致信号ＩＤＴが送信され、認証成立のメッセージが表示される。したがって、被探索者Ａおよび探索実行者Ｃが相手の保持する携帯端末の状態を互いに確認することも可能であり、被探索者Ａおよび探索実行者Ｃは、認証の成立をさらに識別することができる。
【００９３】
そして、パーソナルコンピュータＰＣは、探索サーバＳＲＶから一致信号ＩＤＴを受信すると、被探索者Ａの発見を通知する画面を表示する（ステップＳ２１３）。したがって、利用者Ｂは、被探索者Ａが発見されたことを迅速に知ることができる。そして、パーソナルコンピュータＰＣが、応答信号ＡＣＫを探索サーバＳＲＶに送信すると（ステップＳ２１４）、処理は終了する。
【００９４】
＜１−３．第１実施形態の効果＞
以上、説明したように、本実施形態の探索システムＳＹＳでは、被探索者Ａの失踪に利用者Ｂが気付き、パーソナルコンピュータＰＣを介して探索依頼を行ってからすぐに、被探索者Ａに現在最も近い場所にある機関の探索実行者Ｃにより探索実行が行われるため、被探索者Ａの保護を迅速に行うことができる。
【００９５】
また、本実施形態の探索システムＳＹＳでは、探索実行者Ｃに被探索者Ａの探索を通知した後に、被探索者Ａが移動した場合であっても、被探索者Ａの現在位置を示すデータが探索実行者Ｃの携帯端末ＨＰに逐次送信されるため、被探索者Ａを容易に追跡することができる。
【００９６】
また、本実施形態の携帯端末ＨＰでは、探索実行者Ｃが被探索者Ａを探索するに当たり、被探索者Ａを示す補助情報、例えば、被探索者Ａを示す画像情報等を表示することができ、効率的に探索を実行することが可能である。
【００９７】
また、本実施形態の探索システムＳＹＳでは、被探索者Ａの最新の特徴ある画像をデータベースサーバＤＢにアップロードすることができ、被探索者Ａの最新の特徴ある画像を利用して被探索者Ａの探索を行うため、探索実行者Ｃが被探索者Ａと面識がなくても、被探索者Ａを識別、特定することが容易である。
【００９８】
さらに、被探索者Ａと思しき人物の発見の際には、携帯端末ＨＰより、例えば被探索Ａの近親者の音声を録音した音声データを再生、放音することにより、当該人物に被探索者Ａの近親者の声を聞かせることができる。このとき、探索実行者Ｃが被探索者Ａと思しき人物の反応を観察することができ、当該人物が被探索者Ａであるか否かを推測を行うことができる。
【００９９】
また、被探索者Ａであるか否かを確実にするために、本発明の探索システムＳＹＳにあっては、被探索者Ａと思しき人物が保持している携帯端末ＨＰと、探索実行者Ｃの保持する携帯端末ＨＰと、探索サーバＳＲＶとの間で認証を行うことで、被探索者Ａの身元を現場で確認し、確実に身柄を保護することができる。
【０１００】
また、上記認証の結果は被探索者Ａの保持する携帯端末ＨＰｊにもまた送信されるため、面識のない人物の保護行為に対して被探索者Ａの抱く不安を大きく軽減し、探索実行者Ｃの保護行為に被探索者Aが抵抗することを防止できる。
【０１０１】
そして、被探索者認証が成立した場合には、被探索者Ａおよび探索実行者Ｃ両者の保持する携帯端末ＨＰに一致信号ＩＤＴが送信され、携帯端末ＨＰｊおよび携帯端末ＨＰｋの双方の表示部にメッセージが表示される。したがって、二つの携帯端末ＨＰｊおよびＨＰｋの表示部を被探索者Ａおよび探索実行者Ｃが確認することで、認証の成立をよりはっきりと確認することができる。
【０１０２】
くわえて、本実施形態の探索システムＳＹＳにあっては、被探索者Ａの認証が成立し、被探索者Ａの身柄を保護した場合に、即座にパーソナルコンピュータＰＣに身柄保護の信号が送信されるため、被探索者Ａの発見を、利用者Ｂは即座に識別することが可能である。
【０１０３】
＜２．第２実施形態＞
＜２−１．第２実施形態の構成＞
図６は、第２実施形態の探索者確認システムＳＹＳ’の全体構成を示す図である。
第２実施形態の探索システムＳＹＳ’では、パーソナルコンピュータＰＣがインターネットＩＮＥＴを介して探索サーバＳＲＶにアクセスする。そして、探索システムＳＹＳ利用のためのユーザ認証は探索サーバＳＲＶが行う。第２実施形態の探索システムＳＹＳ’にアクセスサーバＡＳは備わっていない。さらに、第２実施形態においては、探索サーバＳＲＶに暗号化プログラムが備わっており、任意のデータを所定形式で暗号化することが可能である。
【０１０４】
図７は、第２実施形態のデータベースサーバＤＢ’に記憶されるテーブルを示す概念図である。図７に示すように、第２実施形態のデータベースサーバＤＢ’は、鍵テーブルＴＢｋを記憶することと、探索実行テーブルＴＢｒの構成が異なることを除き、第１実施形態のデータベースサーバＤＢと同様である。
【０１０５】
鍵テーブルＴＢｋには、例えば、ＲＳＡ（Rivest-Shamir-Adleman）などの公開鍵方式における秘密鍵および公開鍵を示すデータが格納されている。鍵テーブルＴＢｋは、複数のレコードを備え、各レコードは、電話番号フィールドＮＯ１、秘密鍵フィールドＫＥＹｓｆ、公開鍵フィールドＫＥＹｐｆおよび平文フィールドＰＬＮを備えている。電話番号フィールドＮＯ１は、個人情報テーブルＴＢｐにおける電話番号フィールドＮＯ１と同一であり、この電話番号フィールドＮＯ１に格納されるデータをキーとして、鍵テーブルＴＢｋは、個人情報テーブルＴＢｐと対応づけられる。秘密鍵フィールドＫＥＹｓｆには秘密鍵ＫＥＹｓを示すデータが格納され、公開鍵フィールドＫＥＹｐｆには秘密鍵ＫＥＹｓに対応する公開鍵ＫＥＹｐを示すデータが格納される。
【０１０６】
平文フィールドＰＬＮには、探索サーバＳＲＶによって生成された任意の文字列を示すデータが格納される。そして、平文フィールドＰＬＮに格納されたデータが、秘密鍵ＫＥＹｓによって暗号化され、暗号コードＥＮＣとして、予め携帯端末ＨＰに送信される。したがって、各携帯端末ＨＰは、記憶部１４に暗号コードＥＮＣを記憶している。
【０１０７】
さらに、各携帯端末ＨＰには、暗号コードＥＮＣを所定の公開鍵によって復号する際に使用される復号化プログラムもあわせて送信される。そして、各携帯端末ＨＰは、復号化プログラムを記憶部１４に記憶する。したがって、各携帯端末ＨＰは、記憶部１４に記憶されている暗号コードＥＮＣに対応する公開鍵ＫＥＹｐを入手することで、暗号コードＥＮＣを復号することが可能である。
【０１０８】
上記以外の構成は、第１実施形態の探索システムＳＹＳと同様である。煩雑を避けるため、探索システムＳＹＳと重複する構成については同一の符号を付し、その説明を省略する。
【０１０９】
＜２−２．第２実施形態の動作＞
次に、探索システムＳＹＳ’の動作について説明する。以下の説明においては、第１実施形態と同じく、探索される者を被探索者Ａとし、被探索者Ａが携帯端末ＨＰｊを保持するものとする。また、被探索者Ａが失踪した場合にパーソナルコンピュータＰＣより探索を依頼するものを利用者Ｂとする。そして、利用者Ｂの依頼によって被探索者Ａを探索するものを探索実行者Ｃとし、探索実行者Ｃが携帯端末ＨＰｋを保持するものとする。なお、利用者Ｂは、予め所定の手続きをとり、探索システムＳＹＳ’利用のためのユーザ名およびパスワードを取得しているものとする。
【０１１０】
＜２−２−１．探索動作＞
図８は探索システムＳＹＳ’の探索動作を示すシーケンスチャートである。
まず、被探索者Ａの探索にあたり、利用者Ｂは、最寄のＩＳＰ（Internet Service Provider）を介して、探索サーバＳＲＶにアクセスする。このとき、探索サーバＳＲＶとパーソナルコンピュータＰＣとの間で、利用者Ｂを認証する認証処理が行われる。ここでは、この認証処理が成立したものとして、以下に説明を続ける。
【０１１１】
認証が成立すると、探索サーバＳＲＶは、パーソナルコンピュータＰＣに起動されたブラウザに、携帯端末ＨＰｊの電話番号ＮＭを入力するための入力フォームを表示させる。以下、ステップＳ３０１〜Ｓ３０８までの動作は、探索サーバＳＲＶが識別コードＩＤを生成しない点を除いて、上述のステップＳ１０１〜Ｓ１０９までの動作と同様であるため、説明を省略する。
【０１１２】
ステップＳ３０８において実行信号ＣＲＯを受信すると、探索サーバＳＲＶは、携帯端末ＨＰｊの電話番号に基づいて、ホームメモリＨＭを参照し、携帯端末ＨＰｊの現在の位置情報を取得する。そして、探索サーバＳＲＶは、携帯端末ＨＰｊの位置情報を、携帯端末ＨＰｋに送信する。また、探索サーバＳＲＶは、位置情報と同時に、個人情報テーブルＴＢｐにおける被探索者Ａに対応するレコード中の画像パスフィールドＰＨＯＴＯおよび音声パスフィールドＶＯＩＣＥによって指定されるファイル２種類、および公開鍵ＫＥＹｐを、携帯端末ＨＰｋに送信する。（ステップＳ３１０〜Ｓ３１２）。
【０１１３】
そして、探索サーバＳＲＶは、データベースサーバＤＢの鍵テーブルＴＢｋより、被探索者Ａに対応するレコードを抽出し、当該レコードに含まれる公開鍵ＫＥＹｐを取得、携帯端末ＨＰｋに送信する。また、携帯端末ＨＰは、探索サーバＳＲＶより複数の個人に対応する個人情報データを受信することができ、各データは、電話番号ＮＯ１をキーとしてソートされ、記憶される。
【０１１４】
さて、上記ステップＳ３１０〜Ｓ３１２においては、探索サーバＳＲＶは、被探索者Ａを示す個人情報データを、携帯端末ＨＰｋに送信しなかった。本実施形態では、被探索者Ａを示す個人情報データは、探索実行者Ｃの要求に応じて、携帯端末ＨＰｋに送信される。被探索者Ａを示す個人情報データが必要であれば（ステップＳ３１３においてＹｅｓ）、探索実行者Ｃは、携帯端末ＨＰｋの入力部１７を操作して、個人情報を要求する信号を、探索サーバＳＲＶに送信する（ステップＳ３１４）。この信号を受信した場合だけ、探索サーバＳＲＶは、被探索者Ａの個人情報を示すデータ、すなわち、名前フィールドＮＡＭＥ、性別フィールドＳＥＸ、年齢フィールドＡＧＥ、身長フィールドＨＩＧＨＴ、および相貌フィールドＴＹＰＥに格納される各種データを、携帯端末ＨＰｋに送信する（ステップＳ３１５）。被探索者Ａを示す個人情報データを受信すると、携帯端末ＨＰｋは、応答信号ＡＣＫを探索サーバＳＲＶに送信する（ステップＳ３１６）。
【０１１５】
なお、探索実行者Ｃが、被探索者Ａを示す個人情報データを要求する操作を行わない限り（ステップＳ３１３においてＮｏ）、携帯端末ＨＰｋは、携帯端末ＨＰｊの位置情報を受信の後、応答信号ＡＣＫを、探索サーバＳＲＶに送信する（ステップＳ３１６）。そして、探索サーバＳＲＶは、被探索者Ａが発見されない場合（ステップＳ３１７においてＮｏ）、処理をステップＳ３１１に戻し、携帯端末ＨＰｊの位置情報を、携帯端末ＨＰｋに供給しつづける。
【０１１６】
＜２−２−２．被探索者認証動作＞
図９は、探索システムＳＹＳ’の被探索者認証動作を示すシーケンスチャートである。
まず、携帯端末ＨＰｋが携帯端末ＨＰｊに向けて、暗号コードＥＮＣの送信を要求する要求信号ＲＥＱを送信する（ステップＳ４０１）。要求信号ＲＥＱを受信すると、携帯端末ＨＰｊは、記憶部１４に記憶される暗号コードＥＮＣを、携帯端末ＨＰｋに向けて送信する（ステップＳ４０２）。
【０１１７】
携帯端末ＨＰｋは、携帯端末ＨＰｊから暗号コードＥＮＣを受信すると、記憶部１４に記憶された公開鍵ＫＥＹｐを利用して、この暗号コードＥＮＣを復号化し、復号コードＤＥＣを作成する（ステップＳ４０３）。そして、携帯端末ＨＰｋは、復号コードＤＥＣを、探索サーバＳＲＶに送信する（ステップＳ４０４）。
【０１１８】
探索サーバＳＲＶは、携帯端末ＨＰｋより復号コードＤＥＣを受信すると、探索実行テーブルＴＢｒを参照し、携帯端末ＨＰｊに対応するレコードの平文フィールドＰＬＮに格納されるデータが、復号コードＤＥＣと一致するか否かを判定する（ステップＳ４０５）。ここで、平文フィールドＰＬＮに格納されるデータが、携帯端末ＨＰｋの送信してきた復号コードＤＥＣと一致した場合（ステップＳ４０６においてＹｅｓ）、探索サーバＳＲＶは、一致信号ＩＤＴを携帯端末ＨＰｋおよび携帯端末ＨＰｊに送信する（ステップＳ４０７）。
【０１１９】
ステップＳ４０８〜Ｓ４１７の処理は、上記ステップＳ２０５〜Ｓ２１４の処理と同様であるため、その説明を省略する。
【０１２０】
また、ステップＳ４１７において端末装置ＨＰｋより応答信号ＡＣＫを受信した後、探索処理が終了する場合（ステップＳ４１８においてＹｅｓ）、探索サーバＳＲＶは、新規に秘密鍵ＫＥＹｓおよび公開鍵ＫＥＹｐの一組のデータを生成し、鍵テーブルＴＢｋにおける携帯端末ＨＰｊに対応するレコードの秘密鍵フィールドＫＥＹｓｆおよび公開鍵フィールドＫＥＹｐｆにそれぞれ格納する。さらに、探索サーバＳＲＶは、平文フィールドＰＬＮに格納される文字列を更新し、更新されたデータを新しい秘密鍵ＫＥＹｐで暗号化して新しい暗号コードＥＮＣｎを作成する（ステップＳ４１９）。
【０１２１】
そして、探索サーバＳＲＶは、暗号コードＥＮＣｎを、携帯端末ＨＰｊに送信する（ステップＳ４２０）。暗号コードＥＮＣｎを受信すると、携帯端末ＨＰｊは、記憶部１４に記憶される暗号コードＥＮＣを、暗号コードＥＮＣｎと置換する（ステップＳ４２１）。置換が終了すると、携帯端末ＨＰｊは、応答信号ＡＣＫを探索サーバＳＲＶに送信し（ステップＳ４２２）、処理が終了する。
【０１２２】
＜２−３．第２実施形態の効果＞
以上、説明したように、第２実施形態の探索システムＳＹＳ’では、認証に利用される公開鍵ＫＥＹｐが探索終了時に更新される。さらに、被探索者Ａの保持する携帯端末ＨＰｊの記憶する暗号コードＥＮＣもまた更新される。したがって、一度探索に利用され、復号化された暗号コードＥＮＣが再使用されないため、認証情報が悪用される危険性を低減させることができる。
【０１２３】
＜３．変形例＞
なお、本発明の探索システムＳＹＳおよびＳＹＳ’は、上述の実施形態にのみ限定されるものではなく、その技術的思想の範囲内で種々の変更を加えることが可能である。
【０１２４】
（１）上述の第１および第２実施形態においては、被探索者Ａの保持すべき第１の携帯端末の位置情報取得は、携帯端末ＨＰと基地局ＢＳとの信号送受信に基づく態様で説明を行ったが、この位置情報取得手段として、例えば、ＧＰＳ（Global Positioning Systems）などを利用する態様であっても構わない。この場合、ＧＰＳ受信機は、携帯通信網ＮＥＴに備わっていてもよいし、携帯端末ＨＰに備わっている態様であってもよい。要は、被探索者Ａが保持する携帯端末ＨＰの位置情報を取得できる態様であれば、どのような態様であっても構わない。
【０１２５】
（２）上述の第１および第２実施形態においては、利用者Ｂは、被探索者Ａの探索依頼を、パーソナルコンピュータＰＣを介して行ったが、例えば、ブラウザ機能付きの携帯電話など、Ｗｅｂページを閲覧可能な携帯端末を利用して探索依頼を行ってもよい。要は、被探索者Ａの失踪が発覚してすぐに、利用者Ｂが探索サーバＳＲＶに探索を依頼できる態様であれば、どのような態様であっても構わない。
【０１２６】
（３）上述の第１および第２実施形態においては、被探索者Ａを特定するために携帯端末ＨＰｋに送信される画像データとして、利用者ＢがデータベースサーバＤＢにアップロードした画像データを利用した態様で説明を行ったが、被探索者Ａを示す画像データを自動的に取得する態様であっても構わない。要は、探索補助のために、探索実行者の携帯端末に画像もしくは音声データを送信できる態様であるなら、どのような態様であっても構わない。
【０１２７】
（４）上述の第１および第２実施形態では、探索実行者Ｂは、探索サーバＳＲＶから携帯端末ＨＰｊの現在位置情報を取得し、その情報に基づいて、自ら携帯端末ＨＰｊの現在位置に近付く態様をとって説明を行ったが、携帯端末ＨＰｋと携帯端末ＨＰｊとの間で通話が可能であれば、探索実行者Ｂは、被探索者Ａを音声によって所望の位置に誘導し、保護をより容易にする態様をとることも可能であり、誘導先の場所に現れた被探索者Ａと思しき人物との間で認証動作を行ってもよい。要は、被探索者Ａと思しき人物の現在位置までの接近において、探索実行者Ｂは、携帯端末ＨＰをどのように利用しても構わない。
【０１２８】
（５）上述の第１および第２実施形態においては、個人情報テーブル、鍵情報テーブル、依頼者テーブルがすべてデータベースサーバＤＢに記憶される態様をとって説明を行ったが、各テーブルが分散データベースとして構成されていても構わない。要は、被探索者Ａの探索に必要な各種データを、探索サーバＳＲＶが取得できる態様であれば、どのような態様であっても構わない。
【０１２９】
（６）上述の第１実施形態においては、被探索者Ａと思しき人物が本当に被探索者Ａであるかを認証するために、携帯端末ＨＰｋから携帯端末ＨＪｊに識別コードＩＤが近距離無線通信によって送信され、認証処理が行われる態様で説明を行ったが、探索実行者Ｃが被探索者Ａと思しき人物の保持する携帯端末ＨＰに識別コードＩＤを手動入力し、探索サーバＳＲＶに識別コードＩＤを送信する態様であっても構わない。要は、探索開始時に携帯端末ＨＰｋにのみ送信された識別コードＩＤが、被探索者Ａの保持する携帯端末ＨＰｊより探索サーバＳＲＶに送信され、その結果として、被探索者Ａが認証される態様であるならば、どのような態様であっても構わない。
【０１３０】
（７）また、上述の第１実施形態においては、被探索者Ａと思しき人物が本当に被探索者Ａであるかを認証するために、携帯端末ＨＰｋから携帯端末ＨＰｊに、近距離無線通信によって、識別コードＩＤと電話番号ＮＭとを送信し、当該識別コードＩＤおよび電話番号ＮＭを、携帯端末ＨＰｊが探索サーバＳＲＶに送信することで被探索者認証動作が行われた。ここで、例えば、携帯端末ＨＰのＲＯＭ１３中に、携帯端末ＨＰを一意に識別することが可能な端末ＩＤなどが記憶されている場合には、その端末ＩＤを、電話番号ＮＭの代わりに利用してもよい。また、電話番号ＮＭの変わりに、携帯端末ＨＰに一意に割り当てられた電子メイルアドレスであってもよい。要は、探索サーバＳＲＶが、識別コードＩＤの送信先である携帯端末ＨＰと、識別コードＩＤの送信元である携帯端末ＨＰとを一意に識別し、被探索者Ａの認証動作を行える態様であるならば、どのようなものであっても構わない。
【０１３１】
（８）上述の第２実施形態においては、暗号コードＥＮＣの復号化を携帯端末ＨＰｋにおいて行う態様で説明を行ったが、暗号コードＥＮＣの復号化を、携帯端末ＨＰｊもしくは探索サーバＳＲＶで行う態様を取ってもよい。この場合には、携帯端末ＨＰｋの要求により、暗号コードＥＮＣが携帯端末ＨＰｊより携帯端末ＨＰｋに送信されたのち、携帯端末ＨＰｋにおいて暗号コードＥＮＣが復号化されるようにすればよい。要は、探索実行者Ｃにしか送信されていない公開鍵ＫＥＹｐによって、携帯端末ＨＰｊに記憶される暗号コードＥＮＣが復号化され、その結果に基づいて、被探索者Ａが認証される態様であるならば、どのような態様であっても構わない。
【０１３２】
（９）上述の第１および第２実施形態においては、被探索者Ａの認証は、一致信号ＩＤＴもしくは不一致信号ＭＩＳの受信によって、携帯端末ＨＰｋの表示部１５に認証結果が表示され、探索実行者Ｃに認証結果を識別可能とする態様で説明を行った。しかし、携帯端末ＨＰｋが表示部１５に認証結果を表示する態様ではなく、光、音、もしくは振動によって、認証結果を通知する態様であっても構わない。要は、一致信号ＩＤＴもしくは不一致信号ＭＩＳの受信を契機とした携帯端末ＨＰｋの処理によって、探索実行者Ｃが認証結果を識別できるならば、どのような態様であっても構わない。
【０１３３】
（１０）上述の第１および第２実施形態においては、被探索者Ａは人間であるとして説明を行ったが、携帯端末ＨＰｊを保持させることで探索可能な対象は、人間に限らない。例えば、自然動物といった人間以外の生物や、車や船といった物体であっても構わない。要は、携帯端末ＨＰの位置情報を利用して、移動体である対象を探索し、発見された対象の認証を携帯端末ＨＰを利用して行える態様であれば、どのようなものであっても構わない。
【０１３４】
（１１）上述の第１および第２実施形態においては、探索実行者Ｃの保持する携帯端末ＨＰｋに対して被探索者Ａの個人情報データを送信する態様をとって説明を行ったが、これに加えて、被探索者Ａの保持すべき携帯端末ＨＰｊに対して、探索実行者Ｃを示す個人情報データを送信するようにしても構わない。この場合、個人情報テーブルＴＢｐに、予め探索実行者Ｃを示す個人情報データを格納しておき、携帯端末ＨＰｋに被探索者Ａの個人情報データを送信する際に、携帯端末ＨＰｊに探索実行者Ｃの個人情報データを送信するようにすればよい。そうすることで、携帯端末ＨＰｊにおいては、探索実行者Ｃの顔写真などを表示させる等といった動作が可能となり、よりスムースに被探索者Ａを保護する助けとなる。
【０１３５】
（１２）上述の第１および第２実施形態においては、被探索者Ａの探索開始時に、被探索者Ａの保持すべき携帯端末ＨＰｊに一意に対応付けられた電話番号ＮＭを、探索サーバＳＲＶに送信する態様をとって説明を行ったが、このとき、探索サーバＳＲＶ側で携帯端末ＨＰｊの探索可否を認証し、認証が不成立の場合には携帯端末ＨＰｋに個人情報データを送信しないようにして、不正探索を抑制する態様をとっても構わない。
例えば、予め個人情報テーブルＴＢｐに、携帯端末ＨＰｊの探索可否を示すフラグを格納するフィールドを設けておく。そして、依頼端末ＰＣから探索サーバＳＲＶに対して電話番号ＮＭが送信された際（上記ステップＳ１０１）に、フラグを格納するフィールドを探索サーバＳＲＶが参照し、認証処理を行う。そして、探索サーバＳＲＶから依頼端末ＰＣに対して応答信号ＡＣＫが送信される際（上記ステップＳ１０２）に、応答信号ＡＣＫに併せて、携帯端末ＨＰｊの認証結果を通知する。ここで、認証不成立の場合には、以降の処理（ステップＳ１０３〜Ｓ１１６）は行わないようにする。このようにすれば、探索が認められていない被探索者Ａに関する個人情報が探索サーバＳＲＶ外部に送信されることがなくなり、本変形例１２の態様を実現することができる。
【０１３６】
【発明の効果】
以上、説明したように、本発明の探索システム、探索サーバ、携帯端末および探索対象認証方法では、被探索者の最新の特徴ある画像データ等を利用して被探索者の探索を行い、被探索者と思しき人物の発見の際には被探索者の近親者などの声を録音した音声データを利用して、被探索者と思しき人物が被探索者当人であるか否かを感覚的に識別する補助を行う。
【０１３７】
そして、本発明の探索システム、探索サーバ、携帯端末および探索対象認証方法では、被探索者と思しき人物の保持する携帯端末と探索実行者の保持する携帯端末とに保持されるデータを利用して認証を行うため、被探索者の特定を確実に行うことができる。
【０１３８】
さらに、本発明の探索システム、探索サーバ、携帯端末および探索対象認証方法では、被探索者の認証に暗号を利用する場合、利用される暗号文および鍵を探索終了毎に更新するため、認証情報が悪用される危険性を低減させることができる。
【図面の簡単な説明】
【図１】  探索者確認システムＳＹＳの全体構成を示す図である。
【図２】  携帯端末ＨＰの電気的構成を示すブロック図である。
【図３】  データベースサーバＤＢに記憶されるテーブルを示す概念図である。
【図４】  探索システムＳＹＳの探索動作を示すシーケンスチャートである。
【図５】  探索システムＳＹＳの被探索者認証動作を示すシーケンスチャートである。
【図６】  探索システムＳＹＳ’の全体構成を示す図である。
【図７】  データベースサーバＤＢ’に記憶されるテーブルを示す概念図である。
【図８】  探索システムＳＹＳ’の探索動作を示すシーケンスチャートである。
【図９】  探索システムＳＹＳ’の被探索者認証動作を示すシーケンスチャートである。
【符号の説明】
Ａ…探索対象、Ｂ…利用者、Ｃ…探索実行者、ＳＲＶ…探索サーバ、ＩＤ…識別コード、ＥＮＣ…暗号コード、ＨＰ…携帯端末、ＫＥＹｓ…秘密鍵、ＫＥＹｐ…公開鍵、ＰＣ…パーソナルコンピュータ、ＲＥＱ…要求信号、ＩＤＴ…一致信号、ＮＯ１，ＮＯ２…電話番号、１０…送受信部、１１…ＣＰＵ、１３…ＲＯＭ、１４…記憶部、１５…表示部、１７…入力部。
【図１】
0004060070.tif 000002
【図２】
0004060070.tif 000003
【図３】
0004060070.tif 000004
【図４】
0004060070.tif 000005
【図５】
0004060070.tif 000006
【図６】
0004060070.tif 000007
【図７】
0004060070.tif 000008
【図８】
0004060070.tif 000009
【図９】
0004060070.tif 000010